(57)【要約】  準アクティブ状態のユーザ機器（ＵＥ）の改善された無線通信の提供を、本明細書で説明する。たとえば、基地局は、ＵＥからのチャネルフィードバック情報をトリガするために、たとえばＣＥＬＬ＿ＦＡＣＨ状態のＵＥによって監視される特定の無線チャネルリソースを使用することができる。トリガは、応答してデータを提供するようにＵＥに指示する明示的命令を備えることができ、あるいは、ＵＥをターゲットとするダウンリンクトラヒックの一部を含むことができ、ここで、ＵＥは、適切な形でトラヒックデータの受信に応答するように構成される。ＵＥは、トリガを受信し、応答する際にＣＥＬＬ＿ＦＡＣＨ状態を維持することができ、さらに、そのような状態で後続トラヒックデータを受信することができる。したがって、本開示は、準アクティブ状態無線通信での改善された効率および信頼性を提供する。
2011512756.tif 000002
【特許請求の範囲】
【請求項１】
無線ネットワーク内の無線通信の方法、該方法は下記を備える：
１つまたは複数の無線ＵＥと無線信号を交換するのに通信インターフェースを使用すること；
ＣＥＬＬ＿ＦＡＣＨ状態のＵＥに関するメッセージを生成するのにデータプロセッサを使用すること；および、
前記メッセージを前記ＵＥに伝送することによって前記ＣＥＬＬ＿ＦＡＣＨ状態の前記ＵＥからのアップリンク応答をトリガするのに前記通信インターフェースを使用すること。
【請求項２】
前記アップリンク応答をトリガすることは、アップリンクチャネル上で無線チャネルデータを伝送するように前記ＵＥに命令することを備える、請求項１に記載の方法。
【請求項３】
前記無線チャネルデータは、ＡＣＫ／ＮＡＣＫデータまたはＣＱＩデータを備える、請求項２に記載の方法。
【請求項４】
前記メッセージを前記ＵＥに伝送するのに共用制御チャネルを使用することをさらに備える、請求項１に記載の方法。
【請求項５】
ＤＰＣＣＨアップリンクデータと一緒にＨＳ−ＤＰＣＣＨアップリンクデータを伝送するように前記ＵＥに命令することをさらに備える、請求項１に記載の方法。
【請求項６】
前記アップリンク応答で使用されるリソースのＩＤを指定することをさらに備える、請求項１に記載の方法。
【請求項７】
前記リソースの前記ＩＤを指定することは、前記アップリンク応答に関して５ビット幅のＥ−ＤＣＨを示すことを備える、請求項６に記載の方法。
【請求項８】
前記リソースの前記ＩＤを指定するためにＨＳ−ＳＣＣＨの未使用ビットの組合せを使用することをさらに備える、請求項６に記載の方法。
【請求項９】
前記ＵＥのためにルーティングされるアプリケーショントラヒックを識別することと、
ダウンリンク共有チャネルを介して前記メッセージと共に前記アプリケーショントラヒックのサブセットを送信することと、
ＲＬＣＡＣＫまたはＳＴＡＴＵＳ  ＰＤＵ応答が前記ＵＥから入手されるまで、前記アプリケーショントラヒックのさらなるサブセットのダウンリンク伝送を遅延させることと
をさらに備える、請求項１に記載の方法。
【請求項１０】
前記メッセージを伝送するのにＨＳ−ＳＣＣＨを使用することと前記アップリンク応答をトリガすることとをさらに備える、請求項１に記載の方法。
【請求項１１】
前記ＵＥからの前記アップリンク応答をトリガすることは、前記ＵＥにダウンロードされるトラヒックを入手することから生じる、請求項１に記載の方法。
【請求項１２】
無線ネットワーク内の無線通信の装置、該装置は下記を備える：
無線通信信号を介してデータを無線で送信しまたは受信することを容易にする通信インターフェース；
前記無線ネットワーク内の無線ノードに関係する復号された信号を分析するように構成されたデータプロセッサ；
ＣＥＬＬ＿ＦＡＣＨ状態のＵＥに関するインバウンドトラヒックを識別するトラヒックモジュール；および、
前記ＵＥからのアップリンク応答をトリガするために前記ＵＥにメッセージを送信するフィードバックモジュール、ただし、前記アップリンク応答は、前記通信インターフェースを介して前記インバウンドトラヒックを伝送するのに前記データプロセッサによって使用される。
【請求項１３】
前記フィードバックモジュールは、前記メッセージ内に、前記メッセージの受信後に前記アップリンク応答を送信する明示的命令を含む、請求項１２に記載の装置。
【請求項１４】
前記データプロセッサは、前記伝送の効率または有効性を改善するために前記アップリンク応答からＡＣＫ／ＮＡＣＫまたはＣＱＩデータを抽出する、請求項１２に記載の装置。
【請求項１５】
前記フィードバックモジュールは、前記ＵＥに前記メッセージを伝送するのに共有チャネルを使用する、請求項１２に記載の装置。
【請求項１６】
前記共有コントロールは、ＨＳ−ＳＳＣＨを備える、請求項１５に記載の装置。
【請求項１７】
ＤＰＣＣＨアップリンクデータに関連してＨＳ−ＤＰＣＣＨアップリンクデータを伝送するように前記ＵＥに命令するスケジューリングモジュールをさらに備え、前記命令は、前記メッセージに含まれる、請求項１２に記載の装置。
【請求項１８】
前記アップリンク応答用のリソースのＩＤを指定するリソースモジュールをさらに備える、請求項１２に記載の装置。
【請求項１９】
前記リソースＩＤは、５ビット幅のＥ−ＤＣＨ  ＩＤを備える、請求項１８に記載の装置。
【請求項２０】
前記リソースモジュールは、前記リソースＩＤを前記ＵＥに伝送するのにダウンリンク共有チャネルの未使用ビットの組合せを使用する、請求項１８に記載の装置。
【請求項２１】
さらに下記を備える、請求項１２に記載の装置：
前記インバウンドトラヒックを少なくとも初期のセグメントおよび後続するセグメントにセグメント化するパーティションモジュール、ただし、前記フィードバックモジュールは、前記アップリンクリソースをトリガするために送信される前記メッセージ内に前記インバウンドトラヒックの前記初期セグメントを含める；および、
前記アップリンク応答が前記装置で受信されるまで、前記ＵＥへの前記インバウンドトラヒックの前記後続するセグメントの伝送を遅延させるトラヒック割込みモジュール。
【請求項２２】
前記メッセージの受信後の前記アップリンク応答を送信する時間を指定するアップリンク調整モジュールをさらに備える、請求項１２に記載の装置。
【請求項２３】
無線ネットワーク内の無線通信の装置、該装置は下記を備える：
１つまたは複数の無線ＵＥと無線信号を交換するのに通信インターフェースを使用するための手段；
ＣＥＬＬ＿ＦＡＣＨ状態のＵＥに関するメッセージを生成するのにデータプロセッサを使用するための手段；
前記メッセージを前記ＵＥに伝送することによって前記ＣＥＬＬ＿ＦＡＣＨ状態の前記ＵＥからのアップリンク応答をトリガするのに前記通信インターフェースを使用するための手段。
【請求項２４】
無線ネットワーク内の無線通信用に構成された少なくとも１つのプロセッサ、該プロセッサは下記を備える：
１つまたは複数の無線ＵＥと無線信号を交換するのに通信インターフェースを使用する第１モジュール；
ＣＥＬＬ＿ＦＡＣＨ状態のＵＥ用のメッセージを生成する第２モジュール；および、
前記メッセージを前記ＵＥに伝送することによって前記ＣＥＬＬ＿ＦＡＣＨ状態の前記ＵＥからのアップリンク応答をトリガする第３モジュール。
【請求項２５】
下記コードのセットを備えるコンピュータ可読媒体を備えるコンピュータプログラム製品：
コンピュータに、１つまたは複数の無線ＵＥと無線信号を交換するのに通信インターフェースを使用させるコードの第１セット；
前記コンピュータに、ＣＥＬＬ＿ＦＡＣＨ状態のＵＥ用のメッセージを生成させるコードの第２セット；および、
前記コンピュータに、前記メッセージを前記ＵＥに伝送することによって前記ＣＥＬＬ＿ＦＡＣＨ状態の前記ＵＥからのアップリンク応答をトリガするのに前記通信インターフェースを使用させるコードの第３セット。
【請求項２６】
効率的な無線通信を容易にする方法、該方法は下記を備える：
無線ネットワークＡＰからシステム情報またはトラヒック情報を受信するのにＣＥＬＬ＿ＦＡＣＨ状態のＵＥの無線通信インターフェースを使用すること；
前記ＣＥＬＬ＿ＦＡＣＨ状態に従って前記ＡＰからの受信された共用制御チャネル信号を分析するのに少なくとも１つのプロセッサを使用すること；および、
前記共用制御チャネルを介して前記ＡＰから受信されたメッセージに応答してアップリンクでチャネル情報をサブミットするのに前記無線通信インターフェースを使用すること。
【請求項２７】
前記チャネル情報をサブミットするためのチャネルリソースのＩＤを前記メッセージから抽出するのに前記プロセッサを使用することをさらに含む、請求項２６に記載の方法。
【請求項２８】
前記チャネルリソースの前記ＩＤは、前記共用制御チャネルの未使用ビットを介して伝送されるＥ−ＤＣＨ  ＩＤを備える、請求項２７に記載の方法。
【請求項２９】
受信された共用制御チャネル信号から前記チャネル情報をサブミットする明示的命令を抽出するのに前記プロセッサを使用することをさらに備える、請求項２６に記載の方法。
【請求項３０】
チャネル情報の前記サブミッションは、前記明示的命令に応答するものである、請求項２９に記載の方法。
【請求項３１】
前記メッセージに応答してＣＱＩ情報をサブミットすることをさらに備える、請求項２６に記載の方法。
【請求項３２】
期待される受信データを識別するために前記システム情報を分析することと、前記期待されるデータに関してＡＣＫ／ＮＡＣＫを送信することとをさらに備える、請求項２６に記載の方法。
【請求項３３】
前記メッセージに基づいてＤＰＣＣＨデータに関連してＨＳ−ＤＰＣＣＨデータを伝送することをさらに備える、請求項２６に記載の方法。
【請求項３４】
前記メッセージ内のトラヒックデータのインスタンスを識別することをさらに備え、前記チャネル情報は、ＲＬＣ  ＡＣＫまたはＳＴＡＴＵＳ  ＰＤＵを備える、請求項２６に記載の方法。
【請求項３５】
前記メッセージからまたは事前に決定されるネットワークプロトコルを参照することによって前記チャネル情報をサブミットするタイミングを決定することをさらに備える、請求項３４に記載の方法。
【請求項３６】
ブロードキャストチャネルを監視することと、前記ＣＥＬＬ＿ＦＡＣＨ状態で前記システム情報または前記トラヒック情報を受信するために共通Ｅ−ＤＣＨを識別することとをさらに備える、請求項２６に記載の方法。
【請求項３７】
無線ネットワークでの効率的な無線通信を容易にする装置、該装置は下記を備える：
無線信号を介してデータを送信しまたは受信する無線通信インターフェース；
前記無線ネットワークのＡＰによって伝送される無線信号を分析するデータプロセッサ；および、
前記ＡＰによって伝送された共用制御チャネルメッセージを識別し、前記共用制御チャネルメッセージに応答してアップリンクメッセージを伝送するネットワーク応答モジュール。
【請求項３８】
前記アップリンクメッセージの伝送を容易にするために、前記共用制御チャネルメッセージの受信に応答してランダムチャネルアクセス手順を開始するアクセスモジュールをさらに備える、請求項３７に記載の装置。
【請求項３９】
前記データプロセッサは、前記アップリンクメッセージ伝送の前記メッセージからチャネルリソースのＩＤを抽出する、請求項３７に記載の装置。
【請求項４０】
前記チャネルリソースの前記ＩＤは、Ｅ−ＤＣＨのＩＤを備える、請求項３９に記載の装置。
【請求項４１】
前記共用制御チャネルメッセージは、前記アップリンクメッセージを送信する明示的命令を備える、請求項３７に記載の装置。
【請求項４２】
前記ネットワーク応答モジュールは、前記明示的命令によって指定される応答タイミングを用いてまたはリソース上で前記アップリンクメッセージを伝送する、請求項４１に記載の装置。
【請求項４３】
前記ＡＰによって使用されるダウンリンクチャネルの干渉データ、経路損失データ、マルチパス散乱データ、またはチャネル雑音データを判定する測定モジュールをさらに備える、請求項３７に記載の装置。
【請求項４４】
前記共用制御チャネルメッセージの受信に応答してＡＣＫ／ＮＡＣＫ情報をサブミットするパケットトラッキングモジュールをさらに備える、請求項３７に記載の装置。
【請求項４５】
前記ネットワーク応答モジュールは、前記共用制御チャネルメッセージに応答してＨＳ−ＤＰＣＣＨチャネル上で前記アップリンクメッセージを伝送する、請求項３７に記載の装置。
【請求項４６】
前記データプロセッサは、前記共用制御チャネルメッセージ内のトラヒックデータを識別し、
前記ネットワーク応答モジュールは、前記アップリンクメッセージと共にＲＬＣ  ＡＣＫまたはＳＴＡＴＵＳ  ＰＤＵを含む
請求項３７に記載の装置。
【請求項４７】
前記応答メッセージを伝送するための遅延を判定するのにプロトコルを使用するか、前記遅延を前記共用制御チャネルメッセージから抽出するタイミングモジュールをさらに含む、請求項４６に記載の装置。
【請求項４８】
効率的な無線通信を容易にするように構成された装置、該装置は下記を備える：
無線ネットワークＡＰからシステム情報またはトラヒック情報を受信するのにＣＥＬＬ＿ＦＡＣＨ状態で構成された無線通信インターフェースを使用するための手段；
前記ＣＥＬＬ＿ＦＡＣＨ状態に従って前記ＡＰからの受信された共用制御チャネル信号を分析するのに少なくとも１つのプロセッサを使用するための手段；および、
前記共用制御チャネルを介して前記ＡＰから受信されたメッセージに応答してアップリンクでチャネル情報をサブミットするのに前記無線通信インターフェースを使用するための手段。
【請求項４９】
効率的な無線通信を容易にするように構成された少なくとも１つのプロセッサ、該プロセッサは下記を備える：
無線ネットワークＡＰからシステム情報またはトラヒック情報を受信するのにＣＥＬＬ＿ＦＡＣＨ状態のＵＥの無線通信インターフェースを使用する第１モジュール；
前記ＣＥＬＬ＿ＦＡＣＨ状態に従って前記ＡＰからの受信された共用制御チャネル信号を分析する第２モジュール；および、
前記共用制御チャネルを介して前記ＡＰから受信されたメッセージに応答してアップリンクでチャネル情報をサブミットするのに前記無線通信インターフェースを使用するための第３モジュール。
【請求項５０】
下記コードのセットを備えるコンピュータ可読媒体を備えるコンピュータプログラム製品：
コンピュータに、無線ネットワークＡＰからシステム情報またはトラヒック情報を受信するのにＣＥＬＬ＿ＦＡＣＨ状態で構成された無線通信インターフェースを使用させるコードの第１セット；
前記コンピュータに、前記ＣＥＬＬ＿ＦＡＣＨ状態に従って前記ＡＰからの受信された共用制御チャネル信号を分析するのに少なくとも１つのプロセッサを使用させるコードの第２セット；および、
前記コンピュータに、前記共用制御チャネルを介して前記ＡＰから受信されたメッセージに応答してアップリンクでチャネル情報をサブミットするのに前記無線通信インターフェースを使用させるコードの第３セット。
【発明の詳細な説明】
【技術分野】
【０００１】
米国特許法第１１９条の下での優先権の主張
本願は、それぞれ本願の譲受人に譲渡され、特に参照によって本明細書に組み込まれる、
２００８年２月１２日に出願した米国仮出願第６１／０２８，０６８号、名称ＥＦＦＩＣＩＥＮＴ  ＵＴＩＬＩＺＡＴＩＯＮ  ＯＦ  ＤＬ  ＨＳ−ＲＥＳＯＵＲＣＥＳ  ＩＮ  ＣＥＬＬ＿ＦＡＣＨ、および
２００８年２月１２日に出願した米国仮出願第６１／０２８，１６８号、名称ＥＦＦＩＣＩＥＮＴ  ＵＴＩＬＩＺＡＴＩＯＮ  ＯＦ  ＤＬ  ＨＳ−ＲＥＳＯＵＲＣＥＳ  ＩＮ  ＣＥＬＬ＿ＦＡＣＨ
の優先権を主張するものである。
【０００２】
以下は、全般的には無線通信に関し、より具体的にはＣＥＬＬ＿ＦＡＣＨ状態で端末にダウンリンクデータを送達することに関連するアップリンクフィードバックのトリガに関する。
【背景技術】
【０００３】
無線通信システムは、たとえば音声コンテンツ、データコンテンツその他など、さまざまなタイプの通信コンテンツを提供するために、幅広く展開されている。通常の無線通信システムは、使用可能なシステムリソース（たとえば、帯域幅、送信電力）を共有することによって複数のユーザを伴う通信をサポートすることができる多元接続システムとすることができる。そのような多元接続システムの例は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、およびその他の同様のものを含むことができる。
【０００４】
一般に、無線多元接続通信システムは、複数の移動体デバイスに関する通信を同時にサポートすることができる。各移動体デバイスは、順方向リンクおよび逆方向リンク上の伝送を介して１つまたは複数の基地局と通信することができる。順方向リンク（またはダウンリンク）は、基地局から移動体デバイスへの通信リンクを指し、逆方向リンク（またはアップリンク）は、移動体デバイスから基地局への通信リンクを指す。さらに、移動体デバイスと基地局との間の通信を、ＳＩＳＯ（ｓｉｎｇｌｅ−ｉｎｐｕｔ  ｓｉｎｇｌｅ−ｏｕｔｐｕｔ）システム、ＭＩＳＯ（ｍｕｌｔｉｐｌｅ−ｉｎｐｕｔ  ｓｉｎｇｌｅ−ｏｕｔｐｕｔ）システム、ＭＩＭＯ（ｍｕｌｔｉｐｌｅ−ｉｎｐｕｔ  ｍｕｌｔｉｐｌｅ−ｏｕｔｐｕｔ）システムなどを介して達成することができる。
【０００５】
無線アクセスネットワークの計画的展開では、エアシグナル干渉（air signal interference）が、アクセスポイント（たとえば、基地局）ならびにアクセス端末による伝送から生じる可能性がある。特定のセル内のアップリンク干渉が、たとえばそのセル内または隣接セル内のアクセス端末のランダムな移動によって引き起こされる可能性がある。ダウンリンク干渉は、少なくとも無線アクセスポイントの計画的展開に関して、通常はあるセルから別のセルへと発生するが、特に半計画的展開または無計画的展開に関して、あるセル内の複数の送信機の間でも発生し得る。
【０００６】
ダウンリンクでの干渉を減らすために、移動体は、１つまたは複数の無線リソースに関係するチャネル品質情報（channel quality information、ＣＱＩ）を入手することができる。ＣＱＩは、チャネル干渉、経路損失（path-loss）、散乱、パケットロス（packet-loss）、またはその他の同様のものを記述することができる。ＣＱＩは、通常、アクセス端末によって、その端末のために働く基地局にサブミットされる。ＣＱＩ情報を利用して、基地局は、送信電力を調整し、異なる無線リソースを使用し、アンテナダイバシティを利用するか変更し、あるいは、ダウンリンクデータをアクセス端末に信頼できる形で送達するための他の技法を利用することができる。
【０００７】
さらに、基地局は、通常、期待すべきデータが何であり、それをいつ、どのリソース上で期待すべきかについてアクセス端末に知らせるために、伝送のスケジュールを送達する。伝送のスケジュールを参照することによって、アクセス端末は、アクセス端末に向けられるデータのすべてまたは一部のみのどちらが受信されるのかを判定することができる。スケジュール内のデータのブロック（たとえば、パケット）ごとに、アクセス端末は、肯定応答（ＡＣＫ）または否定肯定応答（ＮＡＣＫ）を基地局に応答する。スケジューリングされたパケットが受信され、正しく復号される場合には、ＡＣＫが基地局に送信され、そうではなく、スケジューリングされたパケットが受信されないか、正しく復号されない場合には、ＮＡＣＫが基地局に送信される。ＡＣＫ／ＮＡＣＫフィードバックに基づいて、基地局は、どのダウンリンクパケットを再送する必要があるのかを判定することができる。
【０００８】
フィードバック機構がなければ、基地局は、パケットストリーム全体を複数回送信する必要がある可能性が高く、ダウンリンク伝送についてはるかにより多くの無線リソースを消費し、全体的な通信時間を引き延ばす。そのような場合であっても、すべてのパケットの送達は保証されないはずである。したがって、パケットスケジューリングおよびフィードバックは、信頼できる無線通信において重要な役割を演じる。
【発明の概要】
【０００９】
下記では、１つまたは複数の態様の基本的な理解を提供するために、そのような態様の単純化された要約を提示する。この要約は、すべての企図される態様の網羅的な概要ではなく、すべての態様の重要な要素またはクリティカルな要素を識別することも、任意のまたはすべての態様の範囲を区切ることも意図されていない。その唯一の目的は、後で提示されるより詳細な説明の前置きとして、単純化された形で１つまたは複数の態様のいくつかの概念を提示することである。
【００１０】
本開示は、ＣＥＬＬ＿ＦＡＣＨ状態のユーザ機器（ＵＥ）の改善された無線通信を提供する。基地局は、チャネルフィードバック情報をトリガするために、ＣＥＬＬ＿ＦＡＣＨ  ＵＥによって監視される共有チャネルリソースを使用することができる。したがって、たとえば、基地局は、移動体から入手されるチャネル品質情報（ＣＱＩ）に基づいてＵＥにダウンリンクデータを送信することができ、ダウンリンク信頼性が改善され、パケットロスが減る。さらに、ＡＣＫ／ＮＡＣＫフィードバックを基地局によってトリガすることができ、ダウンリンク伝送の冗長度が軽減される。したがって、本開示は、無線通信における改善された効率および信頼性を提供する。
【００１１】
本開示のいくつかの態様では、無線ネットワーク内の無線通信の方法が提供される。この方法は、１つまたは複数の無線ＵＥと無線信号を交換するのに通信インターフェースを使用することと、ＣＥＬＬ＿ＦＡＣＨ状態のＵＥに関するメッセージを生成するのにデータプロセッサを使用することとを備えることができる。さらに、この方法は、該メッセージをＵＥに伝送することによってＣＥＬＬ＿ＦＡＣＨ状態のＵＥからのアップリンク応答をトリガするのに通信インターフェースを使用することを備えることができる。
【００１２】
本発明の他の態様では、無線ネットワーク内の無線通信の装置が提供される。この装置は、無線通信信号を介してデータをＯＴＡで送信しまたは受信することを容易にする通信インターフェースを備えることができる。さらに、この装置は、ＣＥＬＬ＿ＦＡＣＨ状態のＵＥ用のインバウンドトラヒックを識別するトラヒックモジュールを備えることができる。さらに、この装置は、ＵＥからのアップリンク応答をトリガするためにＵＥにメッセージを送信するフィードバックモジュールであって、アップリンク応答は、通信インターフェースを介してインバウンドトラヒックを伝送するためにデータプロセッサによって使用される、フィードバックモジュールを備えることができる。
【００１３】
１つまたは複数の追加の態様によれば、無線ネットワーク内の無線通信の装置が開示される。この装置は、１つまたは複数の無線ＵＥと無線信号を交換するのに通信インターフェースを使用するための手段と、ＣＥＬＬ＿ＦＡＣＨ状態のＵＥに関するメッセージを生成するのにデータプロセッサを使用するための手段とを備えることができる。さらに、この装置は、メッセージをＵＥに伝送することによってＣＥＬＬ＿ＦＡＣＨ状態のＵＥからのアップリンク応答をトリガするのに通信インターフェースを使用するための手段を備えることができる。
【００１４】
他の態様では、無線ネットワーク内の無線通信用に構成された少なくとも１つのプロセッサが提供される。このプロセッサは、１つまたは複数の無線ＵＥと無線信号を交換するのに通信インターフェースを使用する第１モジュールを備えることができる。さらに、このプロセッサは、ＣＥＬＬ＿ＦＡＣＨ状態のＵＥに関するメッセージを生成する第２モジュールを備えることができる。さらに、このプロセッサは、該メッセージをＵＥに伝送することによってＣＥＬＬ＿ＦＡＣＨ状態のＵＥからのアップリンク応答をトリガする第３モジュールを備えることができる。
【００１５】
少なくとも１つの態様では、本開示は、コンピュータ可読媒体を備えるコンピュータプログラム製品を提供する。このコンピュータ可読媒体は、コンピュータに、１つまたは複数の無線ＵＥと無線信号を交換するのに通信インターフェースを使用させるコードの第１セットを備えることができる。さらに、このコンピュータ可読媒体は、コンピュータに、ＣＥＬＬ＿ＦＡＣＨ状態のＵＥに関するメッセージを生成させるコードの第２セットを備えることができる。さらに、このコンピュータ可読媒体は、コンピュータに、該メッセージをＵＥに伝送することによってＣＥＬＬ＿ＦＡＣＨ状態のＵＥからのアップリンク応答をトリガするのに通信インターフェースを使用させるコードの第３セットを備えることができる。
【００１６】
上記に加えて、本開示は、効率的な無線通信を容易にする方法を提供する。この方法は、無線ネットワークＡＰからシステム情報またはトラヒック情報を受信するのにＣＥＬＬ＿ＦＡＣＨ状態のＵＥの無線通信インターフェースを使用することを備えることができる。この方法は、ＣＥＬＬ＿ＦＡＣＨ状態に従ってＡＰからの受信された共用制御チャネル信号を分析するのに少なくとも１つのプロセッサを使用することをも備えることができる。さらに、この方法は、共用制御チャネルを介してＡＰから受信されたメッセージに応答してアップリンクでチャネル情報をサブミットするのに無線通信インターフェースを使用することを備えることができる。
【００１７】
本開示の他の態様では、無線ネットワークでの効率的な無線通信を容易にする装置が提供される。この装置は、無線信号を介してデータを送信しまたは受信する無線通信インターフェースを備えることができる。この装置は、さらに、無線ネットワークのＡＰによって伝送される無線信号を分析するデータプロセッサを備えることができる。さらに、この装置は、ＡＰによって伝送された共用制御チャネルメッセージを識別し、該共用制御チャネルメッセージに応答してアップリンクメッセージを伝送するネットワーク応答モジュールを備えることができる。
【００１８】
本開示の１つまたは複数の他の態様では、効率的な無線通信を容易にするように構成された装置が提供される。この装置は、無線ネットワークＡＰからシステム情報またはトラヒック情報を受信するのにＣＥＬＬ＿ＦＡＣＨ状態で構成された無線通信インターフェースを使用するための手段と、ＣＥＬＬ＿ＦＡＣＨ状態に従ってＡＰからの受信された共用制御チャネル信号を分析するのに少なくとも１つのプロセッサを使用するための手段とを備えることができる。さらに、この装置は、共用制御チャネルを介してＡＰから受信されたメッセージに応答してアップリンクでチャネル情報をサブミットするのに無線通信インターフェースを使用するための手段を備えることができる。
【００１９】
さらなる態様によれば、効率的な無線通信を容易にするように構成された少なくとも１つのプロセッサが開示される。このプロセッサ（１つまたは複数）は、無線ネットワークＡＰからシステム情報またはトラヒック情報を受信するのにＣＥＬＬ＿ＦＡＣＨ状態のＵＥの無線通信インターフェースを使用する第１モジュールを備えることができる。さらに、このプロセッサ（１つまたは複数）は、ＣＥＬＬ＿ＦＡＣＨ状態に従ってＡＰからの受信された共用制御チャネル信号を分析する第２モジュールを備えることができる。さらに、このプロセッサ（１つまたは複数）は、共用制御チャネルを介してＡＰから受信されたメッセージに応答してアップリンクでチャネル情報をサブミットするのに無線通信インターフェースを使用するための第３モジュールを備えることができる。
【００２０】
少なくとも１つの態様では、コンピュータ可読媒体を備えるコンピュータプログラム製品が開示される。このコンピュータ可読媒体は、コンピュータに、無線ネットワークＡＰからシステム情報またはトラヒック情報を受信するのにＣＥＬＬ＿ＦＡＣＨ状態で構成された無線通信インターフェースを使用させるコードの第１セットを備えることができる。このコンピュータ可読媒体は、さらに、コンピュータに、ＣＥＬＬ＿ＦＡＣＨ状態に従ってＡＰからの受信された共用制御チャネル信号を分析させるコードの第２セットを備えることができる。前述に加えて、このコンピュータ可読媒体は、コンピュータに、共用制御チャネルを介してＡＰから受信されたメッセージに応答してアップリンクでチャネル情報をサブミットするのに無線通信インターフェースを使用させるコードの第３セットを備えることができる。
【００２１】
前述の目的および関連する目的の達成に向けて、１つまたは複数の態様は、以降で十分に説明され、特許請求の範囲で特に指摘される特徴を備える。次の説明および添付図面は、１つまたは複数の態様の、ある例示的な態様を詳細に示す。しかし、これらの態様は、さまざまな態様の原理を使用できるさまざまな形のうちの少数のみを示し、説明される諸態様は、すべてのそのような態様およびその同等物を含むことが意図されている。
【図面の簡単な説明】
【００２２】
【図１】無線通信において改善されたダウンリンク通信を提供する例示的なシステムを示すブロック図。
【図２】さらなる態様による改善されたダウンリンク通信を容易にする例示的なシステムを示すブロック図。
【図３】ＣＥＬＬ＿ＦＡＣＨ  ＵＥの改善されたダウンリンク伝送のためのアップリンクフィードバックをトリガする例示的なシステムを示すブロック図。
【図４】いくつかの態様での改善されたダウンリンク通信を容易にするための例示的なシステムメッセージング交換を示すブロック図。
【図５】ＣＥＬＬ＿ＦＡＣＨ  ＵＥからのアップリンクフィードバックをトリガするように構成された例示的な基地局を示すブロック図。
【図６】さらなる態様によるＣＥＬＬ＿ＦＡＣＨ状態でフィードバックデータを提供するように構成された例示的なＵＥを示すブロック図。
【図７】無線通信での改善されたダウンリンク伝送を提供する例示的な方法を示す流れ図。
【図８】ＣＥＬＬ＿ＦＡＣＨ状態のＵＥのダウンリンク伝送フィードバックをトリガする例示的な方法を示す流れ図。
【図９】無線通信での改善されたダウンリンク伝送を容易にする例示的な方法を示す流れ図。
【図１０】ＣＥＬＬ＿ＦＡＣＨ状態でアップリンクフィードバック命令に応答するための例示的な方法を示す流れ図。
【図１１】ＣＥＬＬ＿ＦＡＣＨ状態のＵＥからフィードバックを提供する例示的なシステムを示すブロック図。
【図１２】ＣＥＬＬ＿ＦＡＣＨ状態のＵＥからのフィードバックを容易にする例示的なシステムを示すブロック図。
【図１３】本開示のいくつかの態様による無線通信の例示的な装置を示すブロック図。
【図１４】本開示のさらなる態様による例示的な移動体通信環境を示すブロック図。
【図１５】本開示の追加の態様によるサンプルのセルラ通信環境を示すブロック図。
【００２３】
付録Ａは、ＣＥＬＬ＿ＦＡＣＨ  ＵＥのアップリンクフィードバックを伴わないダウンリンク伝送についての考えられ得る非効率性を実証する例である。
【発明を実施するための形態】
【００２４】
これから、さまざまな態様を図面を参照して説明するが、本明細書全体を通して、図面中で同様の符号が同様の要素を参照するのに使用される。下記の説明では、説明において、１つまたは複数の態様の完全な理解を提供するために、多数の特定の詳細を示す。しかし、そのような態様（１つまたは複数）を、これらの特定の詳細なしで実践できることは明白であろう。他の場合には、１つまたは複数の態様の説明を容易にするために、周知の構造およびデバイスを、ブロック図の形で示す。
【００２５】
さらに、本開示のさまざまな態様を、以下で説明する。本明細書の教示を、さまざまな形で実施でき、本明細書で開示される任意の特定の構造および／または機能が、単に代表的であることは、明白である。本明細書の教示に基づいて、当業者は、本明細書で開示される態様を、任意の他の態様と独立に実施でき、これらの態様のうちの複数をさまざまな形で組み合わせることができることを了解するに違いない。たとえば、本明細書で示される態様のうちの任意の個数を使用して、装置を実施し、かつ／または方法を実践することができる。さらに、本明細書で示される態様のうちの１つまたは複数に加えてまたはそれ以外の他の構造および／または機能性を使用して、装置を実施し、かつ／または方法を実践することができる。例として、本明細書で説明される方法、デバイス、システム、および装置のうちの多数は、無線環境での信頼できる効率的なダウンリンク伝送の提供という文脈で説明される。当業者は、類似する技法が、他の通信環境にあてはまり得ることを了解するに違いない。
【００２６】
無線通信システムは、さまざまなシグナリング機構を使用することによって、無線ノードの間での情報交換を実施する。１つの実例で、基地局を、とりわけ、タイミングシーケンスを確立し、信号ソースおよびそのソースに関連するネットワークを識別するパイロット信号を伝送するのに使用することができる。ユーザ端末（ＵＴ）またはアクセス端末（ＡＴ）などの遠隔無線ノードは、基地局との基本通信を確立するのに必要な情報を得るためにパイロット信号を復号することができる。無線周波数または周波数の組、タイムスロット（１つまたは複数）、シンボル符号、およびその他の同様のものなどの追加データを、基地局から伝送される制御信号内で伝えることができる。音声通信またはデータ通信などのユーザ情報を伝えるトラヒックデータを基地局とＵＴとの間で、通信媒介手段として伝えることのできる無線リソースを確立するために、このデータ利用することができる。
【００２７】
そのようなシステムでの１つの重要な問題は、近隣の無線ノードの無線伝送同士の間の干渉である。干渉は、受信品質を下げ、スループットを妨げ、あるいは、極端なときには通信を非効率的にする。したがって、計画的な基地局の展開は、無線ノードを、干渉を軽減するのに適切な距離に配置できるという点で、理想的である。しかし、計画的なネットワークにおいてさえ、ダウンリンク干渉は、たとえば、トラヒック負荷が大きくなるとき、端末がサービスエリアのエッジにあるとき、またはその他の同様のもので生じる可能性がある。さらに、半計画的な展開または無計画的な展開（たとえば、ネットワーク・オペレータの指導をほとんどまたは全く伴わずに設置された個別に所有される基地局を備える）では、干渉問題が悪化する。
【００２８】
互いに重複する伝送およびその結果としての信号干渉を軽減するために、無線通信は、通常、信号を他の信号から区別できるようにするために、時間、周波数、またはさまざまな符号リソースもしくはシンボル・リソースにおいて構造化される。たとえば、異なる時刻での伝送は、直交周波数での伝送と同様に、区別を可能にする。さらに、直交符号または直交シンボルの使用もまた、同じ時点で伝送される信号に関してさえ、軽減された干渉を生じることができる。そのような形で、複数のノードが所与の無線環境で動作することを可能にするために、無線リソースをセグメント化することができる。
【００２９】
干渉問題またはパケット損失問題に加えて、移動体端末は、通常、端末の有限のバッテリリソースを引き延ばすために、さまざまなネットワークインターフェース状態について構成される。具体的に言うと、異なるインターフェース状態（たとえば、即ち、ネットワークに関する動作のモード）は、電力消費に対する異なる影響を有する異なるプロトコルを備えることができる。通常、端末でのバッテリ電力の主要な消費者は、ダウンリンク信号の分析およびネットワークへの信号の伝送に用いられる処理リソースである。したがって、アクティブな無線トラヒック通信に従事するときに、かなりの電力消費が発生する。しかし、端末のプロセッサ、メモリなどが、アイドルまたは低い頻度でアクティブであるときには、はるかに少ない電力が消費される。
【００３０】
前述に基づいて、さまざまな端末動作状態または動作モードが、異なる度合の電力消費を実現するために、異なる度合の無線アクティビティについて構成される。この書かれた説明および添付の特許請求の範囲で使用される際には、準アクティブ状態とは、ＵＥが、アクティブトラヒック伝送（たとえば、音声呼またはデータ呼に関連して）に従事するときより少数の受信信号を分析するかより低い頻度で伝送する、ＵＥインターフェース状態、動作のモードなどを指す。準アクティブ状態は、準アクティブ状態と比較して、ＵＥが相対的に受信信号の相当により大きな部分を分析し、より多くのデータを伝送するアクティブ状態より少ない電力をＵＥが消費することを可能にする。低電力動作状態の例は、アイドルモード、ＣＥＬＬ＿ＦＡＣＨ状態、ＣＥＬＬ＿ＰＣＨ状態、およびＣＥＬＬ＿ＤＣＨ状態、またはその他の同様のものを含む。アイドルモードでは、端末は、最小限のネットワーク信号（たとえば、ページング信号および周期的獲得パイロット（acquisition pilot））を監視することによって、かなりの電力を保存することができる。ＣＥＬＬ＿ＰＣＨ状態では、端末は、ページングチャネルに加えて物理チャネル（ＰＣＨ−同期パイロットなど）を監視し、アイドルモードよりわずかに多い電力（たとえば、１０％多い）を利用することができる。ＣＥＬＬ＿ＦＡＣＨ状態では、端末は、共有チャネル、ページングチャネル、および獲得パイロットを監視し、アイドル状態またはＣＥＬＬ＿ＰＣＨ状態より多くの電力を利用することができる。同様に、端末は、ＣＥＬＬ＿ＤＣＨ状態で専用チャネルに加わり、これを監視し、他の状態に対して相対的にはるかにより多い電力を消費することができる。以下の用語「アイドルモード」、「ＣＥＬＬ＿ＰＣＨ」、「ＣＥＬＬ＿ＦＡＣＨ」、および「ＣＥＬＬ＿ＤＣＨ」は、本明細書では、本明細書でそうではないと指定される場合を除いて、３ＧＰＰ（ｔｈｉｒｄ  ｇｅｎｅｒａｔｉｏｎ  ｐａｒｔｎｅｒｓｈｉｐ  ｐｒｏｊｅｃｔ）仕様（たとえば、３ＧＰＰ  Ｓｐｅｃｉｆｉｃａｔｉｏｎ  ＴＳ  ２５．３３１）によって提供されるものと実質的に同様の意味を伴って利用される。しかし、本開示および添付の特許請求の範囲が、明示的に示される場合を除いて、前述の端末状態に限定されないことを了解されたい。
【００３１】
高速（ＨＳ）無線アクセスネットワーク（ＲＡＮ）での当面採用される１つの仮説は、ネットワーク内の現在の無線条件に基づく無線チャネルのリアルタイムまたは近似的にリアルタイムの構成である。たとえば、いくつかの３ＧＰＰネットワークでは、ダウンリンク（ＤＬ）伝送をスケジューリングする際に使用するためにアップリンクフィードバック情報を無線アクセスポイントに送信するのに、ＨＳ−ＤＰＣＣＨ（ＨＳ  ｄｅｄｉｃａｔｅｄ  ｐｈｙｓｉｃａｌ  ｃｏｎｔｒｏｌ  ｃｈａｎｎｅｌ）が、ユーザ機器（ＵＥ）によって採用される。特定の例として、３ＧＰＰ  Ｒｅｌｅａｓｅ  ８（Ｒｅｌ．８）は、専用チャネル（たとえば、ＨＳ−ＤＰＣＣＨ）でのアップリンク伝送に応答するダウンリンク物理チャネル構成を提供する。その場合に、ＵＥを、アップリンク伝送に関連してチャネル品質情報（ＣＱＩ）、パケット肯定応答もしくは否定肯定応答（ＡＣＫ／ＮＡＣＫ）データ、または他の適切な情報を提供するように構成することができる。ＣＱＩデータ、ＡＣＫ／ＮＡＣＫデータ、その他に基づいて、ダウンリンク伝送を、ＵＥについて信頼できる形で実施することができる。しかし、アイドルモード状態またはＣＥＬＬ＿ＦＡＣＨ状態など、ある種の端末状態では、通常のＵＥを、アップリンクチャネル情報を低い頻度でサブミットするように構成することができる。したがって、ダウンリンクデータは、しばしば、チャネルフィードバック情報、パケット信頼性情報などの利益なしでスケジューリングされる。これは、ダウンリンク伝送に関するかなりのネットワーク非効率性および遅延をもたらす可能性がある（たとえば、付録Ａを参照されたい）。
【００３２】
さらに、３ＧＰＰの文脈では、ＨＳ−ＤＰＣＣＨ伝送は、しばしば、ＵＥがＥ−ＤＣＨ上で送信すべきデータを有するときに限って有用であり、または利用される。多くの場合に、ＨＳ−ＤＰＣＣＨが伝送されるときに、ＵＥに送達すべきダウンリンクデータは存在せず、したがって、ＨＳ−ＤＰＣＣＨは、限られた効用しか有さない。これは、基地局での不必要な処理をもたらす。
【００３３】
上記に加えて、たとえばＣＥＬＬ＿ＦＡＣＨ状態で、ＨＳチャネル上のダウンリンク（ＤＬ）伝送が、Ｅ−ＤＣＨ上のアップリンク（ＵＬ）伝送と重複しないときに、ＨＳ伝送は、しばしば、盲目的に送信され、データ受信を改善するために複数の再送が使用される。そのようなケースは、ＡＣＫ／ＮＡＣＫまたはＣＱＩデータが使用可能でないか最新でない場合、たとえば、ＵＥが最近にＥ−ＤＣＨ伝送を送信していない場合に発生し得る。逆に、ＤＬ伝送がＥ−ＤＣＨ上のＵＬ伝送と同時に発生する場合には、基地局スケジューラは、ＣＥＬＬ＿ＦＡＣＨ  ＵＥのＤＬ伝送をスケジューリングするときにＡＣＫ／ＮＡＣＫまたはＣＱＩ情報を利用することができる。フィードバック情報がなければ、ＨＳチャネル上の一方向通信は、しばしば、高速ダウンリンクパケットアクセスでの大きい損失およびＤＬ  ＨＳリソースの非常に非効率的な実施態様につながる。
【００３４】
前述の問題を是正するために、本開示は、準アクティブ状態のＵＥ用のネットワークによって開始されるフィードバックを提供する。本開示のいくつかの態様では、基地局は、ＵＥ状態に基づいて、ＵＥによって監視されるチャネル上でフィードバック命令（feedback order）を送信することができる。そのような命令を、基地局がＵＥに関するダウンリンクデータを有するときに送信することができる。さらに、オプションで、命令は、ＵＥが特定の準アクティブ状態であること、閾値時間の間にＵＥからフィードバックを受信できないこと、またはその他の同様のものを条件とすることができる。
【００３５】
前述を示すための特定の例として、ＵＥがＣＥＬＬ＿ＦＡＣＨ状態である場合に、基地局は、フィードバックを送信するために、ＣＥＬＬ＿ＦＡＣＨ状態で監視されるチャネル（たとえば、共用制御チャネル）を介してＵＥに命令を送信することができる。もう１つの例として、ＵＥがアイドルモード状態である場合に、ＵＥへの、フィードバックを送信する命令を、アイドルモード状態で監視されるチャネル（たとえば、ページングチャネル）を介して送信することができる。少なくとも１つの例で、ＵＥからフィードバックデータを入手せずに閾値時間が経過した後に、該命令を送信することができる。
【００３６】
ＵＥがフィードバック命令を一旦受信した後には、そのＵＥは、フィードバックデータ（たとえば、ＡＣＫ／ＮＡＣＫ、ＣＱＩ）を伝送するチャネルを入手するために、無線ネットワークによって提供されるランダムアクセス手順を実行することができる。本開示の少なくとも１つの態様では、基地局によって伝送されるフィードバック命令は、アップリンクフィードバック用の特定のアップリンクリソースを指定することができる。そのような態様（１つまたは複数）では、ＵＥは、ランダムアクセス手順なしで済ませ、指定されたアップリンクリソース上で伝送することができる。
【００３７】
本開示の１つまたは複数のさらなる態様によれば、基地局は、フィードバック命令に関連してまたはその代わりに、トラヒックデータの一部をＵＥに伝送することによって、アップリンクフィードバックをトリガすることができる。具体的に言うと、基地局は、ＤＬトラヒックを少なくとも第１部分および第２部分にセグメント化することができる。いくつかの態様では、第１部分（たとえば、初期データパケット）を、第２部分（たとえば、ＤＬトラヒックの残りのデータパケット）より小さくすることができる。基地局は、オプションでＣＱＩデータまたはＡＣＫ／ＮＡＣＫデータが使用不能である場合にブラインド再送（blind retransmission）を使用して、トラヒックの第１部分をＵＥに送信する。第１部分の受信時に、ＵＥは、ＲＬＣ  ＡＣＫまたはＳＴＡＴＵＳ  ＰＤＵを使用して、受信したトラヒックデータに応答することができる。ＲＬＣ（Ｒａｄｉｏ  Ｌｉｎｋ  Ｃｏｎｔｒｏｌ）  ＡＣＫ／ＳＴＡＴＵＳ  ＰＤＵ（Ｐｒｏｔｏｃｏｌ  Ｄａｔａ  ｕｎｉｔ）を伝送するために、ＵＥは、ランダムアクセス手順を実行することができ、その一部として、共通アップリンクリソースを獲得することができる。ＵＥは、獲得した共通アップリンクリソースを使用して、ＣＱＩ／ＡＣＫの送信を開始することができる。基地局は、ＵＥによって伝送されたＣＱＩ／ＡＣＫ情報を使用して、残りのデータを効率的に送信することができる。
【００３８】
ここで図面を参照すると、図１は、無線ネットワーク内の無線ノードからのアップリンクフィードバックをトリガできる例示的なシステム１００のブロック図を示す。たとえば、システム１００は、無線ネットワークまたはそのセル内の１つまた複数のＵＥ（図示せず）にサービスを提供することができる。いくつかの状況で、ＵＥは、バッテリ電力を保存するために省エネルギモードに入ることができる。そのような状況では、ＵＥは、チャネル品質情報またはパケット肯定応答情報を低い頻度で基地局に供給する場合があり、システム１００によって伝送されるＤＬ伝送の信頼性が下がる。しかし、省エネルギモード（１つまたは複数）のアップリンクフィードバックをトリガすることによって、システム１００は、無線ネットワーク内のダウンリンク通信信頼性を改善することができる。
【００３９】
システム１００は、無線アクセスネットワーク（ＲＡＮ）アクセスポイント１０４に結合された制御装置１０２を備えることができる。通信インターフェース１０６は、無線ネットワークのセルによってサービスされるＵＥに対して／またはＵＥから、無線信号を送信し、または受信するのに無線アクセスポイント１０４を使用することができる。ＡＰ／通信インターフェース１０４、１０６によって送信されるＤＬ無線信号を、制御装置１０２によってスケジューリングすることができ、ＵＬ信号を、制御装置１０２によって復号し、または分析することができる。
【００４０】
このために、制御装置１０２は、受信された無線シンボルを分析するように構成された１組のデータプロセッサ１０８を備えることができる。本開示のいくつかの態様では、受信されたシンボルを、ＤＬ伝送をスケジューリングする際に制御装置１０２によって使用することができる。たとえば、データプロセッサ（１つまたは複数）１０８は、システム１００によって使用される無線チャネルに関係するデータを復号し、抽出することができる。効率的な無線通信を容易にするために、抽出されたデータを、制御装置によって、適切な無線ＤＬリソース、適切な伝送電力を選択し、選択されたデータパケットを再送するなどを行うのに使用することができる。
【００４１】
制御装置１０２は、さらに、特定のＵＥのインバウンドトラヒックを識別できるトラヒックモジュール１１０を備えることができる。本開示の少なくともいくつかの態様では、トラヒックモジュール１１０は、ＣＥＬＬ＿ＦＡＣＨ状態などの準アクティブ状態（たとえば、アクティブ状態と比較して端末電力を保存するために）のＵＥのインバウンドトラヒックを識別することができる。そうすることが適切である場合には、トラヒックモジュール１１０は、フィードバックモジュール１１２に、ＵＥからのアップリンクメッセージをトリガさせることができる。たとえば、制御装置１０２が、最近にチャネル品質情報を受信していない場合に、またはシステム１００によって送信されたＤＬ伝送に応答するＡＣＫ／ＮＡＣＫメッセージが受信されない場合に、フィードバックモジュール１１２は、ＵＥからのアップリンクメッセージをトリガすることができる。具体的に言うと、フィードバックモジュール１１２は、ＵＥからのアップリンク応答をトリガするために、ＵＥにメッセージを送信することができる。そのようなアップリンク応答は、ＤＬデータをスケジューリングし、ＵＥでのデータパケットの成功裡の受信を判定し、または類似する無線通信機能のために制御装置１０２によって使用されるフィードバック情報を備えることができる。
【００４２】
本開示のいくつかの態様では、フィードバックモジュール１１２は、ＵＥからのアップリンク応答をトリガするためにＳＣＣＨ（共用制御チャネル）メッセージを生成することができる。本明細書で使用される際には、ＳＣＣＨメッセージは、ＨＳ−ＳＣＣＨメッセージまたは、状態情報、ステータス情報、リソース割当て情報、伝送スケジューリング情報、もしくは無線ネットワークのノードに関係する他の制御情報を送信するための無線ネットワークの他の適切な共有チャネルを含むことができる。さらに、メッセージは、応答に利用されるアップリンクリソースの識別子（ＩＤ）を指定することができ、あるいは、リソース無しを指定し、ＵＥがネットワークによって割り当てられたアップリンクリソースを入手するためにアクセス機能を実行することを可能にすることができる。いくつかの態様では、アップリンクリソースは、ＨＳ−ＤＰＣＣＨに関係する情報を指定することができる。本開示の少なくとも１つの態様では、メッセージは、ダウンリンク伝送に関するＣＱＩ情報またはＡＣＫ／ＮＡＣＫ情報を伝送する命令を備えることができる。制御装置１０２は、ＵＥのダウンリンク伝送をスケジューリングする際にアップリンク応答情報を使用することができる。ＵＥが準アクティブ状態である場合に、そのようなダウンリンク伝送は、たとえば、移動体ネットワークサーバからのＰＵＳＨデータ（たとえば、株価速報サーバからの株価速報またはチッカクォート（ticker quote）、チャットサーバからのチャットメッセージ、プレゼンスサーバからのプレゼンスデータ、関連するサーバからのテレメトリセンサ仮想プライベートネットワーク［ＶＰＮ］データ、電子メールサーバからの電子メールなど）、移動体対移動体のＶｏＩＰ（ｖｏｉｃｅ  ｏｖｅｒ  Ｉｎｔｅｒｎｅｔ  ｐｒｏｔｏｃｏｌ）呼で宛先ＵＥに送信されるＳＩＰ（ｓｅｓｓｉｏｎ  Ｉｎｔｅｒｎｅｔ  ｐｒｏｔｏｃｏｌ）ＩＮＶＩＴＥ（たとえば、ＶｏＩＰ呼セットアップ遅延を減らすため）などを備えることができる。
【００４３】
ＵＥからのフィードバック応答をトリガすることによって、制御装置１０２は、ＵＥが低アクティビティ状態であり、バッテリ電力を保存している間にチャネル品質情報またはパケット情報を入手することができる。したがって、システム１００は、高効率ダウンリンク伝送を提供しながら、移動体端末のバッテリ寿命を延ばすことができる。さらに、ＤＬデータがＵＥに伝送される準備ができているとトラヒックモジュール１１０によって判定されるときに限って、トリガを実施することができる。したがって、システム１００は、ＵＥが、低アクティビティ状態（たとえば、ＣＥＬＬ＿ＦＡＣＨ状態）であるときに、アップリンクデータをネットワークアクセスポイントによって利用できるようになるまで、周期的にアップリンクデータを送信するのを避けることを可能にする。したがって、システム１００は、多くの状況で最適の効率をもたらすことができる。
【００４４】
図２に、無線通信での効率的な無線シグナリングを容易にする例示的なシステム２００のブロック図を示す。システム２００は、無線通信装置２０２を備えるＡＴ  ２０４を備えることができる。ＡＴ  ２０４は、ＣＥＬＬ＿ＦＡＣＨ状態、アイドルモード状態、ＣＥＬＬ＿ＰＣＨ状態、またはその他の同様のもの等であるアクティビティが減らされた状態、すなわち「準アクティブ状態」を含むさまざまなアクティブ状態であることができる。そのような状態で、ＡＴ  ２０４は、ネットワークエンティティ（図示せず）によって伝送された少なくとも１つのネットワーク制御信号を受信し、監視するのに、通信インターフェース２０６を使用することができる。そのような制御信号は、アクティブ状態およびそのような状態を支配するネットワークプロトコルに応じて、ページング信号、共有チャネル信号、ブロードキャストチャネル（ＢＣＨ）信号、パイロット信号などを備えることができる。
【００４５】
本開示の少なくとも１つの態様では、ＡＴ  ２０４は、アップリンク伝送に、ネットワークＲＮＣによって指定されるＥ−ＤＣＨチャネルを利用することができる。さらに、ＡＴ  ２０４は、ネットワークの共有チャネル信号を監視し、共有チャネル信号を介して伝送されるデータを分析するのに少なくとも１つのデータプロセッサ２０８を使用することができる。さらに、ネットワーク応答モジュールは、ＡＴ  ２０４に関係する分析されたデータから共有チャネルメッセージを識別することができる。本開示のいくつかの態様では、共有チャネルメッセージは、ＳＣＣＨメッセージまたはＨＳ−ＳＣＣＨメッセージを備えることができる。
【００４６】
共有チャネルメッセージを識別した時に、ネットワーク応答モジュール２１０は、そのメッセージに応答して１つまたは複数の適当なアクションを行うことができる。本開示の一態様では、ネットワーク応答モジュールは、共有チャネルメッセージに応答してアップリンクメッセージをサブミットする命令を識別し、応答することができる。アップリンクメッセージは、チャネル情報、パケット情報、または無線ネットワーク内で効率的な無線通信をもたらすのに適切な他の情報など、さまざまなフィードバック情報を備えることができる。１つの特定の例として、アップリンクメッセージは、それぞれ受信されたＤＬパケットまたは欠落しているＤＬパケットを識別するＡＣＫ／ＮＡＣＫデータを備えることができる。もう１つの例では、アップリンクメッセージは、特定のチャネルのＣＱＩ情報を備えることができる。
【００４７】
上記に加えて、ネットワーク応答モジュールは、共有チャネルメッセージが応答メッセージの伝送のためにアップリンクリソースのＩＤを指定するかどうかを決定することができる。リソースが指定される場合には、ＡＴ  ２０４は、そのアップリンクリソースを、および応答メッセージの伝送のために獲得することができる。たとえば、共有チャネルメッセージは、アップリンク応答に関するＥ−ＤＣＨチャネルのＩＤを指定することができる。具体的に言うと、Ｅ−ＤＣＨ  ＩＤは、特定の共通Ｅ−ＤＣＨリソースを指定するＮビット幅の識別子を備えることができ、ここで、Ｎは、適切な正の整数（一例として５）である。そのようなリソースＩＤが指定される場合には、ＡＴ  ２０４は、アップリンクチャネルを入手する際のネットワーク・アクセス手順を回避することができ、これによって、応答メッセージを伝送する際の遅延が減る。
【００４８】
リソースＩＤが指定されない場合には、ＡＴ  ２０４は、ネットワークによって割り当てられたアップリンクリソースを入手するためにランダムアクセスプロトコルを実行することができる。入手された後に、応答メッセージが、ネットワークに伝送される。本開示のいくつかの態様では、無線通信装置２０２は、共有チャネルメッセージから、アップリンク応答のタイミング指定を識別することができる。そのような態様では、タイミング指定は、たとえば共有チャネルメッセージの受信の後の、アップリンク応答の伝送の遅延時間を示すことができる。タイミング指定が共有チャネルメッセージによって提供されない場合には、適切な応答タイミングを、無線通信装置２０２によって選択することができる。
【００４９】
本開示のさらなる態様によれば、ネットワーク応答モジュール２０６は、ＡＴ  ２０４に伝送されるトラヒックデータ（たとえば、トラヒックリソースとして指定されたリソース上で伝送される）を識別するために、プロセッサ（１つまたは複数）２０８によって供給される分析されたデータを監視することができる。そのようなトラヒックデータが識別される場合には、ＡＴ  ２０４は、無線ネットワークから共通チャネルを獲得するためにランダムアクセス手順を開始するのに通信インターフェース２０６を使用することができる。共通チャネルを利用して、ＡＴ  ２０４は、トラヒックデータに関係するＲＬＣ  ＡＣＫ／ＳＴＡＴＵＳ  ＰＤＵ、ＣＱＩ情報、またはパケットＡＣＫ／ＮＡＣＫ応答をサブミットするのにネットワーク応答モジュール２１０を使用することができる。いくつかの実例で、ＡＴ  ２０４は、トラヒックデータを受信し、ＡＣＫ／ＮＡＣＫまたはＣＱＩ情報を送信する時に、アクティブなトラヒック通信に従事するために「準アクティブ状態」から「アクティブ状態」に遷移することができる。代替案では、ＡＴ  ２０４は、「準アクティブ状態」に留まり、準アクティブ状態に関連するプロトコルによって提供されるとおりにまたはＤＬ伝送によって指定されるとおりにアップリンクデータを用いて応答しながら、ネットワークＰＵＳＨデータを受信することができる。したがって、ＡＴ  ２０４は、ネットワークから受信されるＤＬシグナリングまたはトラヒック情報のさまざまなタイプに基づいて効率的な無線通信を実施することができる。
【００５０】
図３に、無線通信環境での無線データ交換に関する例示的なシステム３００のブロック図を示す。より具体的には、システム３００は、さまざまなアクティビティ状態の端末について、無線データ交換の改善された効率を提供することができる。一例として、システム３００は、ＣＥＬＬ＿ＦＡＣＨ状態のＡＴ（３０２）に関する効率的な無線プロトコルを維持しながら、減らされた電力消費を実現することができる。
【００５１】
システム３００は、フィードバック装置３０４を備えるＡＴ  ３０２を含むことができる。さらに、ＡＴ  ３０２を、１つまたは複数の無線チャネルを介してネットワーク基地局３０６に通信可能に結合することができる。本開示の少なくともいくつかの態様では、ＣＥＬＬ＿ＦＡＣＨ状態に関して基地局３０６に関連する無線ネットワークによって指定されるプロトコルを使用することによって、ＡＴ  ３０２が電力消費を減らすためにＣＥＬＬ＿ＦＡＣＨ状態を利用するようにＡＴ  ３０２を構成することができる。たとえば、ＣＥＬＬ＿ＦＡＣＨ状態である間に、ＡＴ  ３０２は、ＤＬデータ伝送またはＤＬシグナリングのために基地局３０６によって使用されるＦＡＣＨ（ｆｏｒｗａｒｄ  ａｃｃｅｓｓ  ｃｈａｎｎｅｌ）を監視することができる。本開示の少なくともいくつかの態様では、ＦＡＣＨは、ＨＳ−ＳＣＣＨを備えることができる。
【００５２】
ＡＴ  ３０２は、基地局３０６によって伝送された受信された無線データを監視し、アップリンクデータがＡＴ  ３０２によって基地局３０６に伝送されることを必要とする状況を識別するのに、フィードバック装置３０４を使用することができる。アップリンクデータ伝送を必要とする１つの例示的な状況は、ＨＳ−ＳＣＣＨを介してＡＴ  ３０２に伝送されたＦＡＣＨトリガメッセージ３１８の受信を含むことができる。具体的に言うと、フィードバック装置３０４は、ＦＡＣＨトリガメッセージ３１８に含まれるアップリンクチャネル命令を識別するためにそのようなメッセージ３１８を分析することができる。フィードバック装置３０４がそのような命令を識別する場合に、アップリンクメッセージを、その命令に応答して生成し、サブミットすることができる。アップリンクデータ伝送を必要とするもう１つの例示的な状況は、基地局３０６によってＡＴ  ３０２に伝送されたトラヒックデータの識別を備えることができる。したがって、フィードバック装置３０４がトラヒックデータを識別する場合には、アップリンクメッセージが、高品質ＤＬ伝送を容易にするために生成され、基地局３０６にサブミットされる。
【００５３】
フィードバック装置３０４は、基地局３０６によって使用されるＳＣＣＨを分析し、ＳＣＣＨを介して伝送されるＳＣＣＨメッセージを識別する、ネットワーク応答モジュール３０８を備えることができる。そのようなメッセージが識別される場合には、ネットワーク応答モジュール３０８は、さらに、チャネル情報またはパケット応答情報あるいはその両方を基地局３０６に伝送しなければならないかどうかを決定することができる。一例として、アップリンク応答データを提供する命令がＦＡＣＨトリガメッセージ３１８内で識別される場合に、ＣＱＩを伝送するように、ネットワーク応答モジュール３０８を構成することができる。もう１つの例として、アップリンク応答命令を識別した時にＣＱＩ情報ならびにＡＣＫ／ＮＡＣＫ情報を伝送するように、ネットワーク応答モジュール３０８を構成することができる。しかし、本開示および添付の特許請求の範囲が、前述の例に限定されないことを了解されたい。
【００５４】
前述に加えて、フィードバック装置３０４は、基地局３０６によってＣＱＩを入手するのに使用される１つまたは複数の無線チャネルを分析する測定モジュール３１２を備えることができる。そのような情報は、干渉情報、経路損失情報、信号散乱情報、チャネル雑音情報、または無線データの送信もしくは受信に影響する同様の情報を備えることができる。入手された後に、測定モジュール３１２は、本明細書で説明するように、基地局３０６への伝送のためにＣＱＩをネットワーク応答モジュール３０８に供給することができる。
【００５５】
さらに、フィードバック装置３０４は、ＡＴ  ３０２での成功裡のデータパケット受信を判定するパケットトラッキングモジュール３１４を備えることができる。この判定は、ＡＴ  ３０４によって復号され、分析されたデータパケットを参照し、そのようなデータパケットを基地局３０６によって伝送されたパケットスケジュールと比較することによって行うことができる。パケットトラッキングモジュール３１４は、ＡＴ  ３０２によって成功裡に受信され復号される、パケットスケジュールによって指定されるパケット毎にＡＣＫを生成することができる。さらに、パケットトラッキングモジュール３１４は、ＡＴ  ３０２によって成功裡には受信されないか復号されないかのいずれか一方に該当する指定されたパケット毎にＮＡＣＫを生成することができる。ＡＣＫ／ＮＡＣＫ情報を、基地局３０６への伝送のためにネットワーク応答モジュール３０８に供給することができる。
【００５６】
前述に加えて、フィードバック装置３０４は、タイミングモジュール３１６をも備えることができる。タイミングモジュール３１６は、基地局３０６に伝送されるアップリンクデータの適切な応答タイミングを判定するのに使用することができる。たとえば、タイミングモジュール３１６は、適切な応答タイミングを判定するために、基地局３０６に関連するネットワークと互換性のある１つまたは複数のプロトコルを使用することができる。その代わりにまたはそれに加えて、タイミングモジュール３１６は、適切な応答タイミングに関して、基地局３０６によって伝送されたＦＡＣＨトリガ３１８を分析することができる。判定された後に、タイミングモジュール３１６は、判定された応答タイミングに従ってアップリンク応答をスケジューリングすることができ、ＡＴ  ３０２と基地局３０６との間のタイミングの調整がもたらされる。
【００５７】
適切なＡＣＫ／ＮＡＣＫまたはＣＱＩが入手された後に、ネットワーク応答モジュール３０８は、ＦＡＣＨトリガ３１８に応答してアップリンクメッセージ３２０を生成することができる。アップリンクリソースがＦＡＣＨトリガ３１８内で指定される場合には、ネットワーク応答モジュール３０８は、アップリンクメッセージ３２０を送信するために、指定されたリソースを使用することができる。リソースが指定されない場合には、アクセスモジュール３１０を、ランダムチャネルアクセス手順を開始するのに使用することができる。この手順に応答して、ＡＴ  ３０２は、アップリンクメッセージ３２０に関してネットワークによって割り当てられたアップリンクリソース（たとえば、Ｅ−ＤＣＨリソース）を受け取ることができる。受け取られた後に、ＡＣＫ／ＮＡＣＫまたはＣＱＩ情報を含むアップリンクメッセージ３２０が、基地局３０６に送信される。基地局３０６は、ＡＴ  ３０２への伝送のためにさらなるＤＬデータをスケジューリングする際に、このＡＣＫ／ＮＡＣＫまたはＣＱＩ情報を使用することができる。したがって、たとえば、ＮＡＣＫがアップリンクメッセージ３２０内で受信される場合に、基地局３０６は、そのＮＡＣＫに関連するデータパケットを再送することができる。さらに、基地局３０６は、アップリンクメッセージ３２０に含まれるＡＣＫに関連するデータパケットの再送を控えることができる。さらに、スケジューリングを、アップリンクメッセージ３２０内で指定されたＣＱＩ情報に基づいて構成することができる。したがって、適切なＤＬチャネルリソースを、可能性としてありうるＤＬ干渉を軽減するのに使用することができ、適切な送信電力を、無線ネットワーク内の他のＤＬデータの干渉を軽減するためにＤＬデータについて選択することなどができる。
【００５８】
図４に、本開示のさらなる態様による例示的な無線通信環境４００のブロック図を示す。無線通信環境４００は、１つまたは複数の無線チャネルを介してＡＴ  ４０４に通信可能に結合された無線ネットワークアクセスポイント４０２を備えることができる。ＤＬ伝送の効率を改善するために、無線アクセスポイント３０２は、ＡＴ  ４０４からのアップリンクフィードバックデータを要求するトリガメッセージ４０６を生成し、ＡＴ  ４０４に送信することができる。トリガメッセージ４０６に応答して、ＡＴ  ４０４は、適切なアップリンクチャネルを介して応答メッセージ４０８を供給することができる。したがって、無線基地局４０２は、アクセスポイント４０２とＡＴ  ４０４との間の通信効率を改善するために、少なくとも応答メッセージにより供給される情報に基づいて後続する伝送をスケジューリングすることができる。本開示の少なくともいくつかの態様では、ＡＴ  ４０４が、本明細書で説明するように、減らされたアクティビティの状態（たとえば、「準アクティブ状態」）で動作していることが可能であることを了解されたい。したがって、改善された通信効率を達成すると同時にＡＴ  ４０４の電力消費を保存することができ、無線通信環境４００全体に大きい利益が与えられる。
【００５９】
前述に加えて、無線アクセスポイント４０２は、トリガメッセージ４０６にさまざまな情報を含めることができる。一例として、トリガメッセージ４０６は、ＨＳ−ＳＣＣＨメッセージとすることができ、ＡＴ  ４０４がフィードバック情報を提供するための明示的コマンドまたは命令を含むことができる。本開示の少なくとも１つの態様では、明示的コマンドは、たとえば、ＨＳ−ＰＤＳＣＨコマンドを備えることができる。さらに、ＨＳ−ＰＤＳＣＨコマンドは、アップリンクでＤＰＣＣＨデータに関連するＨＳ−ＤＰＣＣＨデータを伝送するようにＡＴ  ４０４に指示することができる。追加の態様によれば、トリガメッセージ４０６は、アップリンクに使用される特定の無線チャネルリソースを指定することができる。たとえば、トリガメッセージ４０６は、Ｎビット幅のリソース識別子（たとえば、５ビット幅の識別子）を利用してＥ−ＤＣＨリソースを指定することができる。特定の例として、Ｎビット幅のリソース識別子は、Ｅ−ＤＣＨリソースを識別するのにＨＳ−ＳＣＣＨの未使用ビットの組合せを使用することができる。
【００６０】
本開示の少なくとも１つの態様では、トリガメッセージ４０６は、ＡＴ  ４０４にルーティングされるトラヒックデータのストリームの初期のデータパケットまたはパケットの集合を備えることができる。そのようなパケット（１つまたは複数）を、アップリンク応答コマンドに追加されるもの、またはその代わりのものとすることができる。さらに、パケット（１つまたは複数）を、ＡＴ  ４０４によってトラヒックリソースとして認識される無線リソースの集合の上で伝送することができる。したがって、ＡＴ  ４０４は、トラヒックプロトコルによって決定されるとおりにトラヒックデータに応答することができる（たとえば、パケットＡＣＫ／ＮＡＣＫ情報またはＣＱＩを供給することによって）。特定の例として、ＡＴ  ４０４は、初期データパケット（１つまたは複数）を受信し、ランダムアクセス手順を実行し、共通アップリンクリソースを獲得することができる。この共通アップリンクリソースを利用して、ＡＴ  ４０４は、ＲＬＣ  ＡＣＫまたはＳＴＡＴＵＳ  ＰＤＵを利用して、受信されたトラヒックデータに応答することができる。さらに、ＡＴ  ４０４は、獲得された共通アップリンクリソースを使用してＣＱＩ情報またはＡＣＫ／ＮＡＣＫ情報を送信することができる。ＲＬＣ  ＡＣＫ、ＳＴＡＴＵＳ  ＰＤＵ、またはＣＱＩ／ＡＣＫ情報を受信する際に、無線ネットワークアクセスポイント４０２は、ＡＴ  ４０４によって供給されたフィードバックに基づいて、残りのトラヒックデータパケットを効率的に送信することができる。
【００６１】
ＡＴ  ４０４によって生成され、無線アクセスポイント４０２に伝送される応答メッセージ４０８は、アクセスポイント４０２とＡＴ  ４０４との間の効率的な無線通信をもたらすための適切なデータを含むことができる。たとえば、応答メッセージ４０８は、１つまたは複数のＤＬリソース上の無線条件を記述する無線チャネルデータを含むことができる。さらに、応答メッセージ４０８は、ＡＴ  ４０４によって受信されたデータパケットに関係するＡＣＫ／ＮＡＣＫデータおよびＤＬリソース上の干渉、パケット損失などに関係するＣＱＩデータを含むことができる。ＡＴ  ４０４が、上記で指定された他のデータに加えてまたはその代わりに、応答メッセージ４０８に、無線通信に関係する他の適切なデータを含めることができることを了解されたい。
【００６２】
図５に、本開示の態様による例示的なシステム５００のブロック図を示す。具体的に言うと、システム５００は、遠隔無線デバイスとの無線通信に関連してそのようなデバイスからのデータをトリガするように構成された基地局５０２を備えることができる。たとえば、基地局５０２を、基地局５０２によってサービスされるカバレージエリアの近隣または該カバレージエリアの中にある１つまたは複数のＡＴ  ５０４からＣＱＩデータまたはＡＣＫ／ＮＡＣＫデータを入手するように構成することができる。基地局５０２によって使用される構成を、データベース５３６のそれぞれのルールレコード５４０に格納することができる。さらに、それぞれのＣＱＩデータまたはＡＣＫ／ＮＡＣＫデータを、それぞれのＡＴ  ５０４に関連するデータベース５３６のそれぞれのレコード５３８に格納することができる。さらに、基地局５０２が、無線ネットワークの伝統的なフィードバックチャネルを監視していない「準アクティブ状態（たとえば、ＣＥＬＬ＿ＦＡＣＨ状態）」のＡＴ  ５０４からのアップリンクデータのサブミッションをトリガできることを了解されたい。そのようなＡＴ（１つまたは複数）５０４に関係するデータを、高速アクセスのために特殊なレコード（５３４）に初期化することができる。その代わりにまたはそれに加えて、高速アクセスをさらに容易にするために、特殊なレコードを一時メモリ（５１６）内で維持することができる。
【００６３】
基地局５０２（たとえば、アクセスポイント、…）は、１つまたは複数の受信アンテナ５０６を介して１つまたは複数のＡＴ  ５０４から無線信号を入手する受信器５１０、および送信アンテナ（１つまたは複数）５０８を介して、変調器５３２によって供給される符号化／変調された無線信号を１つまたは複数のＡＴ  ５０４に送信する送信機５３４を備えることができる。受信器５１０は、受信アンテナ５０６から情報を入手することができ、さらに、ＡＴ（１つまたは複数）５０４によって伝送されたアップリンクデータを受信する信号受信器（図示せず）を備えることができる。さらに、受信器５１０は、受信された情報を復調する復調器５１２に動作可能に関連付けられる。復調されたシンボルは、通信プロセッサ５１４によって分析される。通信プロセッサ５１４は、基地局５０２によって提供されまたは実施される機能に関係する情報を格納するメモリ５１６に結合される。１つの実例では、格納される情報は、無線信号を解析し、ＵＴ（１つまたは複数）５０４のうちの１つまたは複数によって供給されるフィードバック情報を入手し、復号するためのルールまたはプロトコルを備えることができる。
【００６４】
上記に加えて、基地局５０２は、ＣＥＬＬ−ＦＡＣＨ状態であるＡＴ  ５０４のインバウンドトラヒックを識別するように構成されたトラヒックモジュール５１８を使用することができる。そのようなトラヒックを信頼できる形でＡＴ  ５０４に伝送するために、基地局５０２は、アップリンク応答をトリガするメッセージをＡＴ  ５０４に送信するのにフィードバックモジュール５２０を使用することができる。さらに、メッセージを、共有チャネル（たとえば、共用制御チャネル）など、ＣＥＬＬ＿ＦＡＣＨ  ＡＴ（５０４）によって監視される無線リソース上でＡＴ  ５０４に伝送することができる。本開示のいくつかの態様によれば、フィードバックモジュール５２０は、ＣＥＬＬ＿ＦＡＣＨ  ＡＴ（５０４）がアップリンク応答を伝送する明示的命令を含めることができる。他の態様では、フィードバックモジュール５２０は、アップリンク応答をトリガする明示的命令の代わりにまたはそれに加えて、ＣＥＬＬ＿ＦＡＣＨ  ＡＴ（５０４）に初期トラヒックパケットの集合を送信することができる。どちらの場合でも、トリガメッセージは、さらに、リソースモジュール５２４によって判定される５ビット幅のＥ−ＤＣＨ  ＩＤなどのアップリンクリソースＩＤを備えることができる。ＡＴ  ５０４は、アップリンク応答を伝送するアップリンクチャネルを獲得するのにそのアップリンクリソースＩＤを利用することができる。
【００６５】
本開示のいくつかの態様では、基地局５０２は、さらに、ＤＰＣＣＨアップリンクデータに関連してＨＳ−ＤＰＣＣＨアップリンクデータを伝送するようにＡＴ  ５０４に指示するスケジューリングモジュール５２２を備えることができる。スケジューリングモジュール５２２は、トリガメッセージに含めるための、フィードバックモジュール５２０への指示を提供することができる。その形で、アップリンク応答の提供における比較的短い遅延を達成することができる。というのは、ＣＥＬＬ＿ＦＡＣＨ  ＡＴ（５０４）を、多くの状況でＤＰＣＣＨデータを伝送するように事前に構成することができ、その結果、ＨＳ−ＤＰＣＣＨが、ＤＰＣＣＨデータと同時にまたはその直後に伝送されるようになるからである。
【００６６】
フィードバックモジュール５２０が、トリガメッセージにトラヒックパケットを含める場合に、ＣＥＬＬ＿ＦＡＣＨ  ＡＴ（５０４）をターゲットとするＤＬトラヒックを１つまたは複数のデータセグメント（たとえば、パケットセグメント）にセグメント化するのに、基地局５０２によってパーティションモジュール５２６を使用することができる。その場合に、パーティションモジュール５２６は、トリガメッセージ内に含まれるべき初期トラヒックセグメントを供給することができ、初期トラヒックセグメントの復号の際に、ＣＥＬＬ＿ＦＡＣＨ  ＡＴ（５０４）にＡＣＫ／ＮＡＣＫデータまたはＣＱＩデータを供給させる。さらに、基地局５０２は、少なくともＡＣＫ／ＮＡＣＫデータまたはＣＱＩデータがＣＥＬＬ＿ＦＡＣＨ  ＡＴ（５０４）から受信されるまでトラヒックパケットの後続するセグメントの伝送を遅延させるために、トラヒック割込みモジュール５２８を使用することができる。その形で、後続するトラヒックパケットを、ＡＣＫ／ＮＡＣＫデータまたはＣＱＩデータに基づいてスケジューリングすることができ、トラヒックデータの一方向通信（たとえば、ＡＣＫ／ＮＡＣＫデータまたはＣＱＩデータを伴わない伝送）を超える改善された効率がもたらされる。
【００６７】
本開示のさらなる態様によれば、基地局５０２は、アップリンク調整モジュール５３０を備えることができる。アップリンク調整モジュール５３０を、トリガメッセージに対するアップリンク応答をサブミットする際の応答時間を指定するように構成することができる。具体的に言うと、この応答時間は、その後にＣＥＬＬ＿ＦＡＣＨ  ＡＴ（５０４）が応答メッセージを送信しなければならない、トリガメッセージを受信した後の特定の遅延期間（たとえば、５０〜６０ミリ秒）を備えることができる。その形で、基地局５０２は、応答メッセージが受信されなければならない時を予想することを試みることができ、さらに、パーティションモジュール５２６によってセグメント化される残りのトラヒックデータをいつスケジューリングすべきかを予想することができる。したがって、アップリンクデータのトリガ、応答の受信、およびトラヒックデータのスケジューリングにおける全体的遅延を、基地局５０２によって減らすか最適化することができる。
【００６８】
図６に、本開示の態様による無線通信のために構成されたＡＴ  ６０２を備える例示的なシステムのブロック図を示す。ＡＴ  ６０２は、無線ネットワークの１つまたは複数の遠隔トランシーバ６０４（たとえば、アクセスポイント）に無線で結合されるように構成される。そのような構成に基づいて、ＡＴ  ６０２は、順方向リンクチャネルで基地局（５０４）から無線信号を受信し、逆方向リンクチャネルで無線信号を応答することができる。さらに、ＡＴ  ６０２は、本明細書で説明するように、受信された無線信号を分析し、アップリンク応答トリガを識別し、アップリンク応答のフィードバックデータを生成し、トリガに応答してそのようなデータを備えるメッセージを伝送する、メモリ６１４に格納された命令を備えることができる。
【００６９】
ＡＴ  ６０２は、信号を受信する少なくとも１つのアンテナ６０６（たとえば、入出力インターフェースを備える、無線送信／受信インターフェースまたはそのようなインターフェースのグループ）および受信信号に対して通常のアクションを実行する（たとえば、フィルタリングし、増幅し、ダウンコンバートするなど）受信器（１つまたは複数）６０８を含む。一般に、アンテナ６０６および送信機６２８（集合的にトランシーバと称する）を、遠隔トランシーバ（１つまたは複数）６０４との無線データ交換を容易にするように構成することができる。
【００７０】
アンテナ６０６および受信器（１つまたは複数）６０８を、受信されたシンボルを復調し、そのような信号を評価のために処理回路（１つまたは複数）６１２に供給できる復調器６１０にも結合することができる。処理回路（１つまたは複数）６１２が、ＡＴ  ６０２の１つまたは複数のコンポーネント（６０６、６０８、６１０、６１４、６１６、６１８、６２０、６２２、６２４、６２６、６２８）を制御でき、かつ／または参照できることを了解されたい。さらに、処理回路（１つまたは複数）６１２は、ＡＴ  ６０２の機能の実行に関係する情報またはコントロールを備える１つまたは複数のモジュール、アプリケーション、エンジン、またはその他の同様のものを実行することができる。たとえば、そのような機能は、アクティブ状態および準アクティブ状態を使用することと、そのような状態の間で遷移することとを含むことができる。さらに、該機能は、本明細書で説明するように、受信された無線信号内のアップリンクトリガメッセージの識別、チャネル品質データまたはパケット信頼性データの生成、トリガメッセージに応答するための適切なタイミングの判定、またはこれらに類似する動作を含むことができる。
【００７１】
さらに、ＡＴ  ６０２のメモリ６１４は、処理回路（１つまたは複数）６１２に動作可能に結合される。メモリ６１４は、送信されるデータ、受信されるデータ、およびその他の同様のもの、ならびに遠隔デバイス（５０４）との無線通信を行うのに適切な命令を格納することができる。具体的に言うと、命令を、上記または本明細書の他の箇所で説明されるさまざまな機能を実施するのに利用することができる。さらに、メモリ６１４は、上記の処理回路（１つまたは複数）６１２によって実行されるモジュール、アプリケーション、エンジンなど（６１６、６１８、６２０、６２２、６２４）を格納することができる。
【００７２】
ＡＴ  ６０２は、さらに、トリガ条件に応答してアップリンクメッセージを供給するネットワーク応答モジュール６１６を備えることができる。そのような条件は、ＡＴ  ６０２によって監視されるチャネル（たとえば、ＡＴ  ６０２がＣＥＬＬ＿ＦＡＣＨ状態などの準アクティブ状態である間に監視されるＳＣＣＨチャネル）を介してフィードバックコマンドを受信することを含むことができる。その代わりにまたはそれに加えて、トリガ条件は、遠隔トランシーバ６０４からトラヒックデータを受信することを含むことができる。フィードバックコマンドがアップリンクメッセージ用の特定のアップリンクリソースを指定する場合には、ＡＴ  ６０２は、そのようなリソースを獲得し、その上でメッセージを伝送することができる。そうでない場合には、ネットワーク応答モジュール６１６は、アップリンクリソースを入手するためにランダムチャネルアクセス手順を開始するのにアクセスモジュール６２０を使用することができる。
【００７３】
応答メッセージに含まれるフィードバック情報は、パケットトラッキングモジュール６２２から判定されるＡＣＫ／ＮＡＣＫデータまたは測定モジュール６１８から判定されるＣＱＩデータを含むことができる。具体的に言うと、パケットトラッキングモジュール６２２は、遠隔トランシーバから受信されるパケットを監視し、そのようなパケットをＤＬ伝送で指定されたパケットスケジューリングレコードと比較することができる。ＡＣＫを、ＡＴ  ６０２によって受信され、処理回路（１つまたは複数）６１２によって正しく復号されたパケットについて生成することができ、ＮＡＣＫを、受信されないか誤って復号されたパケットについて生成することができる。ＡＣＫ（１つまたは複数）／ＮＡＣＫ（１つまたは複数）を、ネットワーク応答モジュール６１６に供給することができる。同様に、測定モジュール６１８は、ＡＴ  ６０２によって受信された１つまたは複数の信号の１つまたは複数のリソースを分析し、そのような信号／リソースに関係する干渉データ、パケット損失データ、散乱データ、または雑音データを判定し、そのようなデータをＣＱＩとしてネットワーク応答モジュール６１６に供給することができる。
【００７４】
さらに、本明細書で説明するように、ＡＴ  ６０２は、アップリンクでフィードバックトリガ条件に応答するための適切なタイミングを判定するタイミングモジュールを備えることができる。このタイミングは、たとえば、上記で述べた、トリガ条件の識別の後に応答メッセージ（たとえば、トラヒックデータまたはフィードバック命令を備えるＳＣＣＨメッセージ）を伝送する際の遅延とすることができる。このタイミングを、遠隔トランシーバ６０４によって利用されるプロトコルに従って事前に決定することができ、あるいは、遠隔トランシーバ６０４によって伝送される信号から抽出することができる。このタイミング情報に基づいて、ネットワーク応答モジュール６１６は、アップリンク応答における最適の調整および最小の遅延を容易にするために、遠隔トランシーバ６０４によって予想される時刻にアップリンク応答を伝送することができる。
【００７５】
前述のシステムは、複数のコンポーネント、モジュール、および／または通信インターフェースの間の相互作用に関して説明された。そのようなシステムおよびコンポーネント／モジュール／インターフェースが、その中で指定されるコンポーネントまたはサブコンポーネント、指定されたコンポーネントまたはサブコンポーネントのうちのいくつか、および／あるいは追加コンポーネントを含むことができることを了解されたい。たとえば、システムは、フィードバック装置３０４に結合されたＡＴ  ４０４および制御装置１０２に結合された基地局４０２、またはこれらもしくは他のコンポーネントの異なる組合せを含むことができる。サブコンポーネントを、親コンポーネント内に含まれるのではなく、他のコンポーネントに通信可能に結合されたコンポーネントとして実施することもできる。さらに、１つまたは複数のコンポーネントを、集約機能性を提供する単一のコンポーネントに統合することができることにも留意されたい。たとえば、無線アクセスポイントへのアップリンク応答のサブミットおよび単一コンポーネントによるサブミット動作のためのアップリンクリソースの入手を容易にするために、アクセスモジュール３１０がネットワーク応答モジュール３０８を含むことができ、その逆も可能である。コンポーネントが、本明細書で具体的には説明されないが当業者に既知の１つまたは複数の他のコンポーネントと相互作用することもできる。
【００７６】
さらに、了解されるとおり、上記で開示されるシステムのさまざまな部分および以下の方法は、人工知能、知識ベース、またはルールベースのコンポーネント、サブコンポーネント、プロセス、手段、方法論、または機構（たとえば、サポートベクトルマシン、ニューラルネットワーク、エキスパートシステム、ベイジアンネットワーク（Bayesian belief network）、ファジイ論理、データフュージョンエンジン、クラシファイヤ…）を含むか、これらから成るものとすることができる。そのようなコンポーネントは、なかんずく、本明細書で既に説明したものに加えて、システムおよび方法の諸部分をより適応的に、ならびに効率的かつインテリジェントにするために、これによって実行されるある種の機構またはプロセスを自動化することができる。
【００７７】
上記で説明した例示的システムを考慮して、開示される主題に従って実施できる方法は、図７〜１０の流れ図を参照してよりよく了解されるであろう。説明を単純にするために、方法を一連のブロックとして図示し、説明するが、いくつかのブロックが図示され本明細書で説明されるものとは異なる順序でおよび／または他のブロックと同時並列に発生し得るので、請求される主題が、ブロックの順序によって限定されないことを理解し、了解されたい。さらに、図示されたすべてのブロックが、以下で説明される方法の実施に必要とは限らない可能性がある。さらに、以下でおよび本明細書全体で開示される方法は、そのような方法をコンピュータに移転し、転送するのを容易にするために製造品に格納され得ることを、さらに了解されたい。以下の用語「製造品」は、使用される時に、任意のコンピュータ可読デバイス、担体に関連するデバイス、または記憶媒体からアクセス可能なコンピュータプログラムを含むことが意図されている。
【００７８】
図７に、本開示の１つまたは複数の態様による無線通信の改善された効率を提供する例示的な方法７００の流れ図を示す。方法７００は、７０２において、無線信号をＵＥと交換するのに通信インターフェースを使用することができる。具体的に言うと、ＵＥを、アイドル状態、ＣＥＬＬ＿ＦＡＣＨ状態、またはその他の同様のものなどの「準アクティブなモード」にあるものとすることができる。したがって、無線信号を、ＵＥが「準アクティブなモード」に従ってその上でデータを送信しまたは受信するように構成された信号の組とすることができる。
【００７９】
方法７００は、７０４において、ＵＥに関するメッセージを生成するのにデータプロセッサを使用することができる。このメッセージを、ＵＥの状態またはモードに基づいて、ＵＥによって監視される少なくとも１つのチャネルについて構成することができる。したがって、たとえば、このメッセージを、ＣＥＬＬ＿ＦＡＣＨ状態のＵＥのためのＳＣＣＨメッセージまたはそのような状態のＵＥによって使用される他の適切なチャネルもしくはリソースとすることができる。
【００８０】
方法７００は、７０６において、メッセージをＵＥに伝送することによって、ＵＥからのアップリンク応答をトリガすることができる。応答のトリガを容易にするために、このメッセージは、オプションでＵＥによって応答に含められる特定のデータを含む、そのような応答に関する明示的命令を備えることができる。さらに、このメッセージはアップリンク応答をサブミットする際に使用されるチャネルまたはリソースのＩＤを備えることができる。したがって、ＵＥが特定のチャネルを獲得し、アクセスするのに必要な時間を最小にすることができ、応答メッセージに関する全体的な応答時間が減る。
【００８１】
図８に、ＣＥＬＬ＿ＦＡＣＨ状態のＵＥのアップリンク応答をトリガする例示的な方法８００の流れ図を示す。方法８００は、８０２において、無線信号をＵＥと交換するのに通信インターフェースを使用することができる。方法８００は、８０４において、ＵＥから受信された信号を分析するのにデータプロセッサを使用することができる。分析された信号または信号がその上でＵＥによって伝送されたチャネルもしくはリソースに基づいて、方法８００は、８０６において、ＵＥがＣＥＬＬ＿ＦＡＣＨ状態にあるかどうかを識別することができる。さらに、８０８において、方法８００は、ＵＥに伝送すべきデータを入手することができる。そのようなデータは、ＵＥを含む音声呼またはデータ呼に関係するトラヒックデータを含むことができる。本開示の少なくともいくつかの態様では、トラヒックは、ＶｏＩＰ呼のＳＩＰ  ＩＮＶＩＴＥなどのネットワークＰＵＳＨデータ、株価速報またはチッカクォート、チャットメッセージ、プレゼンスメッセージ、テレメトリセンサＶＰＮデータ、電子メールメッセージなどのネットワークＰＵＳＨデータなどを備えることができる。
【００８２】
方法８００は、８１０において、ＣＥＬＬ＿ＦＡＣＨ  ＵＥからのアップリンク応答をトリガするメッセージの適切なタイプを判定することができる。メッセージが、リソース指定メッセージである場合には、方法８００は８１６に進むことができる。メッセージがリソースとは独立である場合には、方法８００は８１２に進むことができる。そうではなく、メッセージがＨＳ−ＳＣＣＨトラヒックメッセージである場合には、方法８００は８２０に進むことができる。
【００８３】
８１２において、方法８００は、アップリンク伝送データをサブミットするＨＳ−ＳＣＣＨ命令を生成することができる。８１４において、方法８００は、ＵＥによって獲得されたチャネルを識別するためにランダムアクセスアップリンクチャネルを監視することができる。そのような獲得は、たとえば、ＵＥによって実施されるランダムチャネルアクセス手順に応答するものとすることができる。方法８００は、符号８１４から８２４に進むことができる。
【００８４】
８１６において、方法８００は、アップリンク伝送データをサブミットするＨＳ−ＳＣＣＨ命令を生成し、アップリンクデータを送信するためのリソースのＩＤを指定することができる。ＩＤリソースは、たとえば、Ｅ−ＤＣＨリソースとすることができる。その場合に、該ＩＤは、無線ネットワークの１つまたは複数の他の無線リソースからそのＥ−ＤＣＨリソースを区別するのに適切なＮビット幅の識別子とすることができる。さらに、８１８において、方法８００は、ＵＥによってサブミットされるアップリンク応答に関する識別されたリソースを監視することができる。方法８００は、その後、符号８１８から８２４に進むことができる。
【００８５】
８２０において、方法８００は、ＵＥをターゲットとするトラヒックデータを１つまたは複数のセグメントにセグメント化することができる。セグメントのうちの少なくとも１つを、ＵＥに伝送されるＨＳ−ＳＣＣＨメッセージに含めることができる。８２２において、方法８００は、少なくとも１つのトラヒックセグメントに対する応答に関してアップリンクチャネルを監視することができ、ここで、該アップリンクチャネルは、ＲＬＣなどのレイヤ２チャネルとすることができ、受信される応答は、ＲＬＣ  ＡＣＫ／ＳＴＡＴＵＳ  ＰＤＵとすることができる。一例として、監視されるアップリンクチャネルを、ＨＳ−ＳＣＣＨに対応するアップリンクチャネルとすることができる。
【００８６】
８２４において、方法８００は、ＵＥによって供給され、１つまたは複数の監視されるチャネル上で受信されたフィードバックデータを識別することができる。その後、フィードバックデータを、復号し、ＵＥへのＤＬデータのスケジューリングまたは送信に使用することができる。たとえば、フィードバックデータに含まれるＣＱＩ情報を、干渉の軽減、経路損失もしくは散乱の減少、またはその他同様の目的のために適切なチャネルまたはチャネルリソースを識別するのに使用することができる。もう１つの例として、フィードバックに含まれるＡＣＫ／ＮＡＣＫデータを、以前のデータ伝送に関係する再送プロトコルに使用することができる。本開示の少なくとも１つの実例で、方法８００を、ＵＥがＣＥＬＬ＿ＦＡＣＨ状態に留まっている間に実施できることを了解されたい。したがって、ＵＥが電力およびバッテリ寿命を温存するためにＣＥＬＬ＿ＦＡＣＨを維持する間に、ＤＬデータを、ＵＥによって供給されるフィードバックデータの利益を伴って送達することができる。
【００８７】
図９に、無線ネットワーク環境での改善された通信を容易にする例示的な方法９００の流れ図を示す。本明細書で説明するように、方法９００は９０２において、無線システム情報またはトラヒック情報を受信するのにＣＥＬＬ＿ＦＡＣＨ  ＵＥの通信インターフェースを使用することができる。さらに、９０４において、方法９００は、ネットワークアクセスポイントによって伝送された受信されたＳＣＣＨ信号を分析するのにデータプロセッサまたはプロセッサの集合を使用することができる。さらに、９０６において、方法９００は、アクセスポイントにチャネル情報またはパケット品質情報をサブミットするのに通信インターフェースを使用することができる。具体的に言うと、そのようなサブミッションを、ＳＣＣＨチャネルを介してＳＣＣＨメッセージを受信することに対して応答するものとすることができる。さらに、ＳＣＣＨメッセージが受信され、応答がサブミットされる間に、ＵＥが、ＣＥＬＬ＿ＦＡＣＨ状態に留まることができることを了解されたい。
【００８８】
図１０に、無線通信で改善された効率を容易にする例示的な方法１０００の流れ図を示す。本明細書で説明するように、方法１０００は１００２において、無線ネットワークの制御チャネルを監視するのにＣＥＬＬ＿ＦＡＣＨ  ＵＥの通信インターフェースを使用することができる。１００４において、方法１０００は、共有チャネルコマンドについて、監視される制御チャネル上で受信された信号を分析することができる。１００６において、方法１０００は、監視された制御チャネルからアップリンク伝送コマンドを識別することができる。１００８において、方法１０００は、メッセージからアップリンクリソースＩＤを探索することができる。
【００８９】
１０１０において、方法１０００は、アップリンクリソースＩＤが見つかるかどうかに関する判定を行うことができる。そうである場合には、方法１０００は、１０１４に進むことができる。そうでない場合には、方法１０００は、１０１２に進む。
【００９０】
１０１２において、方法１０００は、アップリンク伝送コマンドと共にリソースＩＤが見つからない場合に、ランダムアップリンクアクセス手順を実行することができる、この手順に応答して、適切なアップリンクリソースを識別し、アップリンクデータの伝送のために獲得することができる。符号１０１２から、方法１０００は１０１６に進むことができる。
【００９１】
１０１４において、方法１０００は、符号１０１０で判定されたリソースＩＤによって指定されるリソースにアクセスすることができる。さらに、１０１６において、方法１０００は、アップリンク伝送コマンドに対して応答するのに適切なチャネル測定またはパケット測定を実行することができる。この測定は、ＣＱＩデータを収集するための無線チャネル品質測定を備えることができる。その代わりにまたはそれに加えて、この測定は、パケット受信に関するＡＣＫ／ＮＡＣＫフィードバックを生成するためのパケットトラッキング測定を備えることができる。本開示の少なくとも１つの態様では、チャネル測定またはパケット測定を、ＲＬＣまたはプロトコルデータユニットのステータスを肯定応答するのに利用することができる。１０１８において、チャネル測定またはパケット測定から生じたデータ（たとえば、ＲＬＣ  ＡＣＫ／ＳＴＡＴＵＳ  ＰＤＵデータ、ＣＱＩデータ、またはＡＣＫ／ＮＡＣＫデータ）を、符号１０１２または１０１４で獲得されたアップリンクリソース上で伝送していることができる。さらに、リソース解放コマンドが受信される場合には、方法１０００は、チャネル測定またはパケット測定を伝送した後に、リソースを解放することができる。
【００９２】
図１１および１２に、本開示の態様による、それぞれＣＥＬＬ＿ＦＡＣＨ状態のＵＥの無線トラヒック通信を実施し、容易にする例示的なシステム１１００、１２００のブロック図を示す。たとえば、システム１１００および１２００は、少なくとも部分的に、無線通信ネットワーク内および／または、ノード、基地局、アクセスポイント、ユーザ端末、移動体インターフェースカードに結合されたパーソナルコンピュータ、もしくはその他の同様のものなどの送信機内に存在することができる。システム１１００および１２００が、プロセッサ、ソフトウェア、またはその組合せ（たとえば、ファームウェア）によって実施される機能を表す機能ブロックとすることのできる機能ブロックを含むものとして表されることを了解されたい。
【００９３】
システム１１００は、通信インターフェースを使用する第１モジュール１１０２を備えることができる。モジュール１２０２は、たとえば、無線信号を送信し、受信するための、無線アンテナ、受信器、および送信機を備えることができる。さらに、システム１１００は、ＣＥＬＬ＿ＦＡＣＨ状態のＵＥからのアップリンク応答をトリガするメッセージを生成する第２モジュール１２０４を備えることができる。トリガメッセージは、いくつかの場合に、ＳＣＣＨメッセージ（たとえば、ＨＳ−ＳＣＣＨメッセージ）とすることができる。さらに、トリガメッセージは、応答に含まれるデータ、応答に利用されるリソース、または応答をサブミットするタイミングを指定することができる。上記に加えて、システム１１００は、ＵＥにアップリンク応答を送信させるトリガメッセージを伝送する第３モジュール１１０６を備えることができる。いくつかの態様では、トリガメッセージは、そのような応答を送信する明示的命令を備えることができる。他の態様では、トリガメッセージは、たとえばＵＥがシステム１１００に既知の所定の形でトラヒックデータの受信時に応答するように構成される場合に、トラヒックデータを備えることができる。
【００９４】
システム１２００は、通信インターフェースを使用する第１モジュール１２０２を備えることができる。モジュール１２０２は、実質的に上で述べたシステム１１００のモジュール１１０２に類似するものとすることができる。さらに、システム１２００は、受信されたアップリンクトリガメッセージを処理する第２モジュール１２０４を備えることができる。アップリンクトリガメッセージは、第１モジュール１２０２によって、１つまたは複数の無線信号内で受信することができる。本開示の特定の態様によれば、アップリンクトリガメッセージを、ＳＣＣＨ信号から受信することができる。第２モジュール１２０４は、そのような信号を復号し、分析し、そこからアップリンクトリガメッセージを抽出することができる。さらに、第２モジュール１２０４は、アップリンク応答に含まれるチャネル情報もしくはパケット品質情報、応答をサブミットするためのチャネルリソース、または応答をサブミットするためのタイミング情報など、アップリンクトリガメッセージに関する適切な指示を識別することができる。上記に加えて、システム１２００は、アップリンクトリガメッセージに基づいてアップリンク応答メッセージをサブミットする第３モジュール１２０６を備えることができる。第３モジュール１２０６は、適切に、アップリンクトリガメッセージで指定されたリソースもしくはタイミングを使用するか、アップリンクトリガメッセージとは独立にそのようなリソースを獲得するかそのようなタイミングを生成することができる。
【００９５】
図１３に、本明細書で開示されるいくつかの態様による無線通信を容易にすることができる例示的なシステム１３００のブロック図を示す。ダウンリンク上のアクセスポイント１３０５で、送信（ＴＸ）データプロセッサ１３１０は、トラヒックデータを受け取り、フォーマットし、符号化し、インタリーブし、変調し（またはシンボルマッピングし）、変調シンボル（「データシンボル」）を提供する。シンボル変調器１３１５は、データシンボルおよびパイロットシンボルを受け取り、処理し、シンボルのストリームを提供する。シンボル変調器１３２０は、データシンボルおよびパイロットシンボルを多重化し、これらを送信機ユニット（ＴＭＴＲ）１３２０に供給する。各送信シンボルは、データシンボル、パイロットシンボル、または０の信号値とすることができる。パイロットシンボルを、各シンボル周期において継続的に送信することができる。パイロットシンボルを、周波数分割多重（ＦＤＭ）、直交周波数分割多重（ＯＦＤＭ）、時分割多重（ＴＤＭ）、符号分割多重（ＣＤＭ）、またはその適切な組合せ、あるいは類似する変調技法および／または伝送技法によるものとすることができる。
【００９６】
ＴＭＴＲ  １３２０は、シンボルのストリームを受け取り、１つまたは複数のアナログ信号に変換し、さらに、無線チャネルを介する伝送に適するダウンリンク信号を生成するためにアナログ信号を調整する（たとえば、増幅し、フィルタリングし、周波数アップコンバートする）。その後、ダウンリンク信号が、アンテナ１３２５を介して端末に伝送される。端末１３３０では、アンテナ１３３５が、ダウンリンク信号を受信し、受信信号を受信器ユニット（ＲＣＶＲ）１３４０に供給する。受信器ユニット１３４０は、受信信号を調整し（たとえば、フィルタリングし、増幅し、周波数ダウンコンバートし）、サンプルを入手するために、調整された信号をディジタル化する。シンボル復調器１３４５は、受信されたパイロットシンボルを復調し、チャネル推定のためにプロセッサ１３５０に供給する。シンボル復調器１３４５は、さらに、プロセッサ１３５０からダウンリンクに関する周波数応答推定値を受け取り、データシンボル推定値（伝送されたデータシンボルの推定値である）を入手するために受信されたデータシンボルに対してデータ復調を実行し、データシンボル推定値をＲＸデータプロセッサ１３５５に供給し、ＲＸデータプロセッサ１３５５は、伝送されたトラヒックデータを回復するためにデータシンボル推定値を復調し（すなわち、シンボル逆マッピングし）、逆インタリーブし、復号する。シンボル復調器１３４５およびＲＸデータプロセッサ１３５５による処理は、それぞれ、アクセスポイント１３０５でのシンボル変調器１３１５およびＴＸデータプロセッサ１３１０による処理に対して相補的である。
【００９７】
アップリンクでは、ＴＸデータプロセッサ１３６０が、トラヒックデータを処理し、データシンボルを供給する。シンボル変調器１３６５が、データシンボルを受け取り、パイロットシンボルと多重化し、変調を実行し、シンボルのストリームを供給する。送信機ユニット１３７０は、アンテナ１３３５によってアクセスポイント１３０５に伝送されるアップリンク信号を生成するためにシンボルのストリームを受け取り、処理する。具体的に言うと、アップリンク信号は、ＳＣ−ＦＤＭＡ要件に従うものとすることができ、本明細書で説明するように周波数ホッピング機構を含むことができる。
【００９８】
アクセスポイント１３０５では、端末１３３０からのアップリンク信号が、アンテナ１３２５によって受信され、サンプルを入手するために受信器ユニット１３７５によって処理される。次に、シンボル復調器１３８０が、サンプルを処理し、アップリンクの受信されたパイロットシンボルおよびデータシンボル推定値を供給する。ＲＸデータプロセッサ１３８５が、端末１３３０によって伝送されたトラヒックデータを回復するためにデータシンボル推定値を処理する。プロセッサ１３９０は、アップリンクで伝送するアクティブ端末ごとにチャネル推定を実行する。複数の端末が、パイロットサブバンドのそれぞれの割り当てられた組においてアップリンクで同時にパイロットを伝送することができ、ここで、パイロットサブバンドの組をインターレースすることができる。
【００９９】
プロセッサ１３９０および１３５０は、それぞれアクセスポイント１３０５および端末１３３０での動作を指示する（たとえば、制御する、調整する、管理するなど）。それぞれのプロセッサ１３９０および１３５０を、プログラムコードおよびデータを格納するメモリユニット（図示せず）に関連付けることができる。プロセッサ１３９０および１３５０は、それぞれアップリンクおよびダウンリンクの周波数応答推定値およびインパルス応答推定値を導出するために計算を実行することもできる。
【０１００】
多元接続システム（たとえば、ＳＣ−ＦＤＭＡ、ＦＤＭＡ、ＯＦＤＭＡ、ＣＤＭＡ、ＴＤＭＡなど）について、複数の端末が、アップリンクで同時に伝送することができる。そのようなシステムについて、パイロットサブバンドを、異なる端末の間で共有することができる。各端末のパイロットサブバンドが動作帯域全体にまたがる（おそらくは帯域の縁を除いて）場合には、チャネル推定技法を使用することができる。そのようなパイロットサブバンド構造は、各端末の周波数ダイバシティを得るために望ましいはずである。本明細書で説明する技法を、さまざまな手段によって実施することができる。たとえば、これらの技法を、ハードウェア、ソフトウェア、またはその組合せで実施することができる。ディジタル、アナログ、またはディジタルとアナログとの両方とすることができるハードウェア実施態様について、チャネル推定に使用される処理ユニットを、１つまたは複数の特定用途向け集積回路（ＡＳＩＣ）、ディジタル信号プロセッサ（ＤＳＰ）、ディジタル信号処理デバイス（ＤＳＰＤ）、プログラマブルロジックデバイス（ＰＬＤ）、フィールドプログラマブルゲートアレイ（ＦＰＧＡ）、プロセッサ、コントローラ、マイクロコントローラ、マイクロプロセッサ、本明細書に記載の機能を実行するように設計された他の電子ユニット、またはその組合せの中で実施することができる。ソフトウェアを用いて、実施態様を、本明細書に記載の機能を実行するモジュール（たとえば、手続き、関数など）を介するものとすることができる。ソフトウェアコードを、メモリユニットに格納し、プロセッサ１３９０および１３５０によって実行することができる。
【０１０１】
図１４に、１つまたは複数の態様に関連して利用できるものなど、複数の基地局（ＢＳ）１４１０（たとえば、無線アクセスポイント、無線通信装置）および複数の端末１４２０（たとえば、ＡＴ）を有する無線通信システム１４００を示す。ＢＳ（１４１０）は、一般に、端末と通信する固定局であり、アクセスポイント、Ｎｏｄｅ  Ｂ、またはある他の用語で呼ばれる可能性もある。各ＢＳ  １４１０は、１４０２ａ、１４０２ｂ、および１４０２ｃというラベルを付けられた、図１４で３つの地理的区域として図示された、特定の地理的区域またはカバレージエリアの通信カバレージを提供する。用語「セル」は、この用語が使用される文脈に応じて、ＢＳまたはそのカバレージエリアを指すことができる。システム容量を改善するために、ＢＳの地理的区域／カバレージエリアを、複数のより小さいエリア（たとえば、図１４のセル１４０２ａ内部における３つのより小さいエリア）１４０４ａ、１４０４ｂ、および１４０４ｃに区分することができる。より小さいエリアの各々（１４０４ａ、１４０４ｂ、１４０４ｃ）を、それぞれのベーストランシーバサブシステム（base transceiver subsystem、ＢＴＳ）によってサービスすることができる。用語「セクタ」は、この用語が使用される文脈に応じて、ＢＴＳまたはそのカバレージエリアを指すことができる。セクタ化されたセルについて、そのセルのすべてのセクタのＢＴＳは、通常、そのセルの基地局内に、同一の位置に配置される。本明細書で説明する伝送技法を、セクタ化されたセルを有するシステムならびにセクタ化されないセルを有するシステムに使用することができる。単純にするために、この説明では、そうではないと指定されない限り、用語「基地局」は、セクタにサービスする固定局ならびにセルにサービスする固定局に包括的に使用される。
【０１０２】
端末１４２０は、通常、システム全体に散在し、各端末１４２０は、固定または可動とすることができる。端末１４２０を、移動局、ユーザ機器、ユーザデバイス、無線通信装置、アクセス端末、ユーザ端末、または何らかの他の用語で呼ぶこともできる。端末１４２０は、無線デバイス、セル電話機、携帯情報端末（ＰＤＡ）、無線モデムカードなどとすることができる。各端末１４２０は、任意の所与の瞬間に、ダウンリンク（たとえば、ＦＬ）およびアップリンク（たとえば、ＲＬ）で０個、１個、または複数のＢＳ  １４１０と通信することができる。ダウンリンクは、基地局から端末への通信リンクを指し、アップリンクは、端末から基地局への通信リンクを指す。
【０１０３】
集中アーキテクチャについて、システムコントローラ１４３０は、基地局１４１０に結合され、ＢＳ  １４１０に調整および制御を提供する。分散アーキテクチャについて、ＢＳ  １４１０は、必要に応じて互いに通信することができる（たとえば、複数のＢＳ  １４１０を通信可能に結合する有線または無線のバックホールネットワークによって）。順方向リンク上のデータ伝送は、しばしば、順方向リンクまたは通信システムによってサポートできる最大のデータレートまたはその付近で、１つのアクセスポイントから１つのアクセス端末へ発生する。順方向リンクの追加チャネル（たとえば、制御チャネル）を、複数のアクセスポイントから１つのアクセス端末へ伝送することができる。逆方向リンクデータ通信は、１つのアクセス端末から１つまたは複数のアクセスポイントへ発生することができる。
【０１０４】
図１５は、さまざまな態様による、計画的なまたは半計画的な無線通信環境１５００の図である。システム１５００は、無線通信信号を受信し、互いにおよび／または１つもしくは複数の移動体デバイス１５０４に送信し、中継するなどを行う、１つまたは複数のセルおよび／もしくはセクタ内の１つまたは複数のＢＳ  １５０２を備えることができる。図示されているように、各ＢＳ  １５０２は、１５０６ａ、１５０６ｂ、１５０６ｃ、および１５０６ｄというラベルを付けられた４つの地理的区域として図示された、特定の地理的区域の通信カバレージを提供することができる。当業者によって了解されるように、各ＢＳ  １５０２は、送信機チェーンおよび受信器チェーンを備えることができ、これらのチェーンのそれぞれは、信号の送信および受信に関連する複数のコンポーネント（たとえば、プロセッサ、変調器、多重化装置、復調器、多重化解除装置、アンテナなど、図５を参照されたい）を備えることができる。移動体デバイス１５０４は、たとえば、セル電話機、スマートホン、ラップトップ機、ハンドヘルド通信デバイス、ハンドヘルドコンピューティングデバイス、衛星ラジオ、全地球測位システム、ＰＤＡ、または無線ネットワーク１５００を介する通信に適切な任意の他のデバイスとすることができる。システム１５００を、本明細書で示すように、ＣＥＬＬ＿ＦＡＣＨ  ＵＥからのアップリンクデータのトリガまたはそのようなトリガの識別およびこれに対する応答を容易にするために、本明細書に記載のさまざまな態様に関連して使用することができる。
【０１０５】
付録Ａに、アップリンクフィードバックなしの、ＣＥＬＬ＿ＦＡＣＨ状態のＵＥへのＤＬ伝送から生じ得る潜在的な非効率性の例の分析を示す。付録Ａは、さらに、ＤＬ伝送のためにアップリンクフィードバックをトリガでき、使用できる場合に得られる利益を示す。付録Ａが、これによって本特許出願の原開示の一部として組み込まれることを理解されたい。
【０１０６】
本開示で使用される際には、用語「コンポーネント」、「システム」、「モジュール」、およびその他の同様の概念は、ハードウェア、ソフトウェア、実行中のソフトウェア、ファームウェア、ミドルウェア、マイクロコード、および／またはその任意の組合せのいずれであれ、コンピュータ関連のエンティティを指すことが意図されている。たとえば、モジュールは、プロセッサ上で走行するプロセス、プロセッサ、オブジェクト、実行可能ファイル、実行のスレッド、プログラム、デバイス、および／またはコンピュータとすることができるが、これらであることに限定はされない。１つまたは複数のモジュールが、１つのプロセスまたは実行のスレッド内に常駐することができ、１つのモジュールを、１つの電子デバイス上で局所化するか、複数の電子デバイスの間で分散させることができる。さらに、これらのモジュールを、さまざまなデータ構造をその上に格納されたさまざまなコンピュータ可読媒体から実行することができる。モジュールは、１つまたは複数のデータパケットを有する信号に従うなど、ローカルプロセスまたは遠隔プロセスによって通信することができる（たとえば、ローカルシステム内の別のコンポーネント、分散システム、または信号によって他のシステムを伴うインターネットなどのネットワークにまたがって相互作用する１つのコンポーネントからのデータ）。さらに、当業者が了解するように、本明細書に記載のシステムのコンポーネントまたはモジュールは、それに関して説明されるさまざまな態様、目標、利益などの達成を容易にするために再配置し、または追加のコンポーネント／モジュール／システムによって補完され得、所与の図面に示された正確な構成に限定はされない。
【０１０７】
さらに、さまざまな態様が、本明細書でＵＴに関連して説明される。ＵＴを、システム、加入者ユニット、加入者ステーション、移動局、移動体、移動体通信デバイス、移動体デバイス、遠隔ステーション、遠隔端末、アクセス端末（ＡＴ）、ユーザエージェント（ＵＡ）、ユーザデバイス、またはユーザ機器（ＵＥ）と呼ぶこともできる。加入者ステーションは、セル電話機、コードレス電話機、ＳＩＰ（Ｓｅｓｓｉｏｎ  Ｉｎｉｔｉａｔｉｏｎ  Ｐｒｏｔｏｃｏｌ）電話機、ＷＬＬ（ｗｉｒｅｌｅｓｓ  ｌｏｃａｌ  ｌｏｏｐ）ステーション、携帯情報端末（ＰＤＡ）、無線接続機能を有するハンドヘルドデバイス、または無線モデムもしくは処理デバイスとの無線通信を容易にする類似する機構に接続された他の処理デバイスとすることができる。
【０１０８】
１つまたは複数の例示的実施形態では、説明される機能を、ハードウェア、ソフトウェア、ファームウェア、ミドルウェア、マイクロコード、またはその任意の適切な組合せで実施することができる。ソフトウェアで実施される場合に、機能を、コンピュータ可読媒体に格納するか、コンピュータ可読媒体上の１つまたは複数の命令またはコードとして伝送することができる。コンピュータ可読媒体は、ある場所から別の場所へのコンピュータプログラムの転送を容易にするすべての媒体を含む、コンピュータ記憶媒体と通信媒体との両方を含む。記憶媒体は、コンピュータによってアクセスできる任意の物理媒体とすることができる。限定ではなく例として、そのようなコンピュータ記憶媒体は、ＲＡＭ、ＲＯＭ、ＥＥＰＲＯＭ、ＣＤ−ＲＯＭもしくは他の光ディスクストレージ、磁気ディスクストレージもしくは他の磁気ストレージデバイス、スマートカード、およびフラッシュメモリデバイス（たとえば、カード、スティック、キードライブ…）、または命令もしくはデータ構造の形で所望のプログラムコードを担持するか格納するのに使用でき、コンピュータによってアクセスできる任意の他の媒体を備えることができる。たとえば、ソフトウェアが、ウェブサイト、サーバ、または他の遠隔ソースから同軸ケーブル、光ファイバケーブル、より線対、ディジタル加入者回線（ＤＳＬ）、または赤外線、ラジオ、およびマイクロ波などの無線テクノロジを使用して伝送される場合に、同軸ケーブル、光ファイバケーブル、より線対、ＤＳＬ、または赤外線、ラジオ、およびマイクロ波などの無線テクノロジは、媒体の定義に含まれる。ディスク（ｄｉｓｋおよびｄｉｓｃ）は、本明細書で使用される時に、コンパクトディスク（ＣＤ）、レーザーディスク（登録商標）、光ディスク、ディジタル多用途ディスク（ＤＶＤ）、フロッピディスク、およびブルーレイディスクを含み、ここで、ｄｉｓｋは、通常、データを磁気的に再生し、ｄｉｓｃは、レーザーを用いてデータを光学的に再生する。上記の組合せも、コンピュータ可読媒体の範囲に含まれなければならない。
【０１０９】
ハードウェア実施態様について、本明細書で開示される態様に関連して説明した処理ユニットのさまざまな例示的なロジック、論理ブロック、モジュール、および回路を、１つまたは複数のＡＳＩＣ、ＤＳＰ、ＤＳＰＤ、ＰＬＤ、ＦＰＧＡ、ディスクリートゲートもしくはトランジスタロジック、ディスクリートハードウェアコンポーネント、汎用プロセッサ、コントローラ、マイクロコントローラ、マイクロプロセッサ、本明細書に記載の機能を実行するように設計された他の電子ユニット、またはその組合せの中で実施するか実行することができる。汎用プロセッサは、マイクロプロセッサとすることができるが、代替案では、プロセッサを、任意の通常のプロセッサ、コントローラ、マイクロコントローラ、または状態機械とすることができる。プロセッサを、コンピューティングデバイスの組合せ、たとえば、ＤＳＰおよびマイクロプロセッサの組合せ、複数のマイクロプロセッサ、ＤＳＰコアに関連する１つまたは複数のマイクロプロセッサ、または任意の他の適切な構成として実施することもできる。さらに、少なくとも１つのプロセッサは、本明細書に記載のステップおよび／またはアクションのうちの１つまたは複数を実行するように動作可能な１つまたは複数のモジュールを備えることができる。
【０１１０】
さらに、本明細書に記載のさまざまな態様または特徴を、標準的なプログラミング技法および／またはエンジニアリング技法を使用して、方法、装置、または製造品として実施することができる。さらに、本明細書で開示される態様に関連して説明される方法またはアルゴリズムのステップおよび／またはアクションを、ハードウェアで直接に、プロセッサによって実行されるソフトウェアモジュールで、またはこの２つの組合せで実施することができる。さらに、いくつかの態様では、方法またはアルゴリズムのステップまたはアクションは、コンピュータプログラム製品に組み込むことができる機械可読媒体またはコンピュータ可読媒体上のコードまたは命令の少なくとも１つまたは任意の組合せまたはセットとして存在することができる。用語「製造品」は、本明細書で使用される時に、任意の適切なコンピュータ可読デバイスまたはコンピュータ可読媒体からアクセス可能なコンピュータプログラムを含むことが意図されている。
【０１１１】
さらに、単語「例示的」は、本明細書では、例、実例、または例示として働くことを意味するのに使用される。本明細書で「例示的」として説明されるすべての態様または設計は、必ずしも、他の態様または設計より好ましいまたは有利と解釈されるのではない。そうではなく、単語例示的の使用は、具体的な形で概念を提示することを意図されたものである。本願で使用される時に、用語「または」は、排他的な「または」ではなく包括的な「または」を意味することが意図されている。すなわち、そうではないと指定されるか文脈から明白である場合を除いて、「ＸはＡまたはＢを使用する」は、自然に包括的な順列のすべてを意味することが意図されている。すなわち、ＸはＡを使用する、ＸはＢを使用する、またはＸはＡとＢとの両方を使用する場合に、「ＸはＡまたはＢを使用する」は、前述の実例のすべての下で満足される。さらに、冠詞「ａ」および「ａｎ」は、本願および添付の特許請求の範囲で使用される時に、そうではないと指定されるか文脈から単数形に向けられることが明白である場合を除いて、一般に「１つまたは複数」を意味すると解釈されなければならない。
【０１１２】
さらに、本明細書で使用される時に、用語「推論する」または「推論」は、一般に、イベントを介して取り込まれる観察のセットまたはデータからシステム、環境、またはユーザの状態に関して推理しまたはこれを推論するプロセスを指す。推論は、たとえば、特定の文脈またはアクションを識別するのに使用することができ、状態にわたる確率分布を生成することができる。推論は、確率的すなわち、データおよびイベントの考慮に基づく当該の状態にわたる確率分布の計算とすることができる。推論は、イベントまたはデータのセットからより高いレベルのイベントを組み立てるのに使用される技法を指すこともできる。そのような推論は、イベントが近い時間的近接で相関するか否かにかかわりなく、また、イベントおよびデータが１つまたは複数のどちらのイベントソースおよびデータソースに由来するかにかかわりなく、観察されたイベントおよび／または格納されたイベントデータのセットからの新しいイベントまたはアクションの構成をもたらす。
【０１１３】
上で説明されたものは、請求される主題の諸態様の例を含む。もちろん、請求される主題の記述においてコンポーネントまたは方法論のすべての考えられる組合せを記述することは不可能であるが、当業者は、開示された主題の多数のさらなる組合せおよび置換が可能であることを認めるであろう。したがって、開示された主題は、添付の特許請求の範囲の趣旨および範囲に含まれるすべてのそのような代替形態、修正形態、および変形形態を包含することが意図されている。さらに、用語「含む（ｉｎｃｌｕｄｅｓ）」または「有する（ｈａｓまたはｈａｖｉｎｇ）」が、この詳細な説明または特許請求の範囲のいずれかで使用される範囲で、そのような用語は、用語「備える（ｃｏｍｐｒｉｓｉｎｇ）」が特許請求の範囲で前後を接続させる語として使用される時に「備える（ｃｏｍｐｒｉｓｉｎｇ）」が解釈されるのに似た形で包括的であることが意図されている。
【０１１４】
付録Ａ
付録Ａは、ダウンリンク（ＤＬ）伝送をスケジューリングするためのアップリンクフィードバックを供給するために、ＨＳ−ＤＰＣＣＨ（ｈｉｇｈ−ｓｐｅｅｄ  ｄｅｄｉｃａｔｅｄ  ｐｈｙｓｉｃａｌ  ｃｏｎｔｒｏｌ  ｃｈａｎｎｅｌ）が使用可能ではない時の、ＤＬ伝送に対する性能の影響を示すためのシステムレベルシミュレーション研究を提供する。セルあたり１０ユーザがフルバッファタイプのトラヒックを送達している時のセクタスループットが示される。我々は、ＨＡＲＱ（ｈｙｂｒｉｄ  ａｕｔｏｍａｔｅｄ  ｒｅｑｕｅｓｔ）肯定応答／否定肯定応答（ＡＣＫ／ＮＡＫ）フィードバックが送信されず、ＤＬ  ＨＳ伝送がダイバシティのために固定された回数だけ繰り返されるときの状況を、ＨＡＲＱ  ＡＣＫ／ＮＡＫフィードバックがＨＳ−ＤＰＣＣＨを介して使用可能にされる場合と比較する。さらに、変化する発生頻度で送信されるチャネル品質情報（ＣＱＩ）の影響を、ＣＱＩ伝送なしに匹敵する発生頻度を含めて提供する。表１に、シミュレーションの条件設定およびシミュレートされた事例を示す。
【表１】
2011512756.tif 000003
【０１１５】
表２に、別個の事例でのアプリケーションレイヤのセクタスループットを示す。ＨＡＲＱ  ＡＣＫ／ＮＡＣＫがない場合に、ＤＬ伝送は、２回または３回繰り返される。結果のパケット誤りは、存在する場合に、ｒａｄｉｏ  ｌｉｎｋ  ｃｏｎｔｒｏｌ再送によって処理される。大きいＣＱＩフィードバックサイクル（ＣＱＩ遅延）が、ＣＱＩの不在を近似するのに使用される。結果は、ＨＡＲＱ  ＡＣＫ／ＮＡＫの不在およびＣＱＩ情報の不在が、ＡＣＫ／ＮＡＫフィードバックおよび新しいＣＱＩ情報がＨＳ−ＤＰＣＣＨを介して使用可能である場合と比較して、ＤＬ伝送の深刻な性能ペナルティにつながることを示す。これらの結果は、ＣＥＬＬ＿ＦＡＣＨ状態でＨＳ−ＤＰＣＣＨアップリンクを使用することに関する例外的な効用を暗示する。
【表２】
2011512756.tif 000004
【図１】
2011512756.tif 000005
【図２】
2011512756.tif 000006
【図３】
2011512756.tif 000007
【図４】
2011512756.tif 000008
【図５】
2011512756.tif 000009
【図６】
2011512756.tif 000010
【図７】
2011512756.tif 000011
【図８】
2011512756.tif 000012
【図９】
2011512756.tif 000013
【図１０】
2011512756.tif 000014
【図１１】
2011512756.tif 000015
【図１２】
2011512756.tif 000016
【図１３】
2011512756.tif 000017
【図１４】
2011512756.tif 000018
【図１５】
2011512756.tif 000019
【国際調査報告】
2011512756.tif 000020
2011512756.tif 000021
2011512756.tif 000022